(57)【要約】　　　（修正有）【課題】録音、再生形態、又は符号化方式等が異なる複数のオーディオ情報をディスクに記録する場合であっても、混乱を生じる事のない再生装置を得る。【解決手段】複数のセルから構成されていると共に記録方式の異なる複数のオーディオ情報を含む物理的なオーディオ情報ＡＯＢ＃１、＃２と、複数のセルから構成される論理的なプログラムを再生するための再生制御情報と、を記録したＤＶＤであって、一の記録方式のオーディオ情報ＡＯＢ＃１を構成する前記セルと、他の前記記録方式の前記オーディオ情報ＡＯＢ＃２を構成するセルと、が当該ＤＶＤ上における異なる位置に記録されており、プログラムは、一の記録方式のオーディオ情報ＡＯＢ＃１を構成するセルと、他の記録方式のオーディオ情報ＡＯＢ＃２を構成するセルと、の双方で定義されており、一の記録方式のオーディオ情報ＡＯＢ＃１と他の記録方式のオーディオ情報ＡＯＢ＃２とは同一内容で構成される。【選択図】図１０
2004103207.tif 000002
【特許請求の範囲】
【請求項１】
複数のセルから構成されていると共に記録方式の異なる複数のオーディオ情報を含む物理的なオーディオ情報と、
前記複数のセルから構成される論理的なプログラムを再生するための再生制御情報と、
を記録した情報記録媒体であって、
一の前記記録方式の前記オーディオ情報を構成する前記セルと、他の前記記録方式の前記オーディオ情報を構成するセルと、が当該情報記録媒体上における異なる位置に記録されており、
前記プログラムは、前記一の記録方式の前記オーディオ情報を構成する前記セルと、前記他の記録方式の前記オーディオ情報を構成する前記セルと、の双方で定義されており、前記一の記録方式の前記オーディオ情報と前記他の記録方式の前記オーディオ情報とは同一内容であることを特徴とする情報記録媒体。
【請求項２】
前記再生制御情報には、前記プログラムが前記記録方式の異なる複数の前記オーディオ情報から構成されていることを示す識別情報が記録されていることを特徴とする請求項１に記載の情報記録媒体。
【請求項３】
前記再生制御情報は、前記セル毎に定義され、少なくとも前記セルのセルタイプ、スタートアドレス及びエンドアドレスを含むことを特徴とする請求項１又は２に記載の情報記録媒体。
【請求項４】
前記一の記録方式の前記オーディオ情報は、リニアＰＣＭ（Ｐｕｌｓｅ　Ｃｏｄｅ　Ｍｏｄｕｌａｔｉｏｎ）方式による前記オーディオ情報であることを特徴とする請求項１乃至３のいずれか１に記載の情報記録媒体。
【請求項５】
複数のセルから構成されていると共に記録方式の異なる複数のオーディオ情報を含む物理的なオーディオ情報と、前記複数のセルから構成される論理的なプログラムを再生するための再生制御情報と、を記録した情報記録媒体であって、一の記録方式の前記オーディオ情報を構成する前記セルと、他の記録方式の前記オーディオ情報を構成する前記セルと、が当該情報記録媒体上における異なる位置に記録されており、前記プログラムは、前記一の記録方式の前記オーディオ情報を構成する前記セルと、前記他の記録方式の前記オーディオ情報を構成するセルと、の双方で定義されており、前記一の記録方式の前記オーディオ情報と前記他の記録方式の前記オーディオ情報とは同一内容である情報記録媒体から情報を再生する再生装置であって、
情報を読み取る読取手段と、
前記オーディオ情報を再生する再生手段と、
前記再生制御情報と、予め設定された再生すべき前記オーディオ情報の記録方式と、に基づいて、前記再生手段を制御する制御手段と、を備えることを特徴とする再生装置。
【請求項６】
前記再生制御情報には、前記プログラムが前記記録方式の異なる複数の前記オーディオ情報から構成されていることを示す識別情報が記録されていることを特徴とする請求項５に記載の再生装置。
【請求項７】
前記再生制御情報は、前記セル毎に定義され、少なくとも前記セルのセルタイプ、スタートアドレス及びエンドアドレスを含むことを特徴とする請求項５又は６に記載の再生装置。
【請求項８】
前記一の記録方式の前記オーディオ情報はリニアＰＣＭによる前記オーディオ情報であることを特徴とする請求項５乃至７のいずれか１に記載の再生装置。
【請求項９】
複数のセルから構成されていると共に記録方式の異なる複数のオーディオ情報を含む物理的なオーディオ情報と、前記複数のセルから構成される論理的なプログラムを再生するための再生制御情報と、を記録した情報記録媒体であって、一の記録方式の前記オーディオ情報を構成する前記セルと、他の記録方式の前記オーディオ情報を構成する前記セルと、が当該情報記録媒体上における異なる位置に記録されており、前記プログラムは、前記一の記録方式の前記オーディオ情報を構成する前記セルと、前記他の記録方式の前記オーディオ情報を構成するセルと、の双方で定義されており、前記一の記録方式の前記オーディオ情報と前記他の記録方式の前記オーディオ情報とは同一内容である情報記録媒体から情報を再生する再生方法であって、
情報を読み取る読取工程と、
前記オーディオ情報を再生する再生工程と、
前記再生制御情報と、予め設定された再生すべき前記オーディオ情報の記録方式と、に基づいて、前記再生手段を制御することを特徴とする再生方法。
【請求項１０】
前記再生制御情報には、前記プログラムが前記記録方式の異なる複数の前記オーディオ情報から構成されていることを示す識別情報が記録されていることを特徴とする請求項９に記載の再生方法。
【請求項１１】
前記再生制御情報は、前記セル毎に定義され、少なくとも前記セルのセルタイプ、スタートアドレス及びエンドアドレスを含むことを特徴とする請求項９又は１０に記載の再生方法。
【請求項１２】
前記一の記録方式の前記オーディオ情報はリニアＰＣＭによる前記オーディオ情報であることを特徴とする請求項９乃至１１のいずれか１に記載の再生方法。
【発明の詳細な説明】
【０００１】
【発明の属する技術分野】
本発明は、録音形態又は再生形態もしくは符号化方式の異なる音楽等の音情報が記録されたＤＶＤディスク等の情報記録媒体と、この情報記録媒体から音情報を再生する再生装置の技術分野に属するものである。
【０００２】
【従来の技術】
映画などの映像情報を記録する記録媒体としてビデオＤＶＤ（ＤＶＤ−Ｖｉｄｅｏ規格に準拠したディスク）が知られている。ビデオＤＶＤはその大容量性から映画などの映像情報の記録媒体として広く使用されている。
【０００３】
また、映画などの映像情報ではなく、音楽などのオーディオ情報のみを記録することを念頭においたオーディオＤＶＤ（ＤＶＤ−Ａｕｄｉｏ規格に準拠したディスク）も開発されている。このオーディオＤＶＤにはＤＶＤとしての大容量性から複数のＣＤ（コンパクトディスク）に相当するオーディオ情報を１枚のオーディオＤＶＤに記録することが可能となる。また、映画などの映像情報に加えて、その映画のサウンドトラック版の音楽ＣＤに相当するようなオーディオ情報を記録することも可能である。
【０００４】
【発明が解決しようとする課題】
オーディオＤＶＤは、主に音楽などのオーディオ情報を記録することを目的とし、今までにないマルチチャンネルの再生を可能にしようとしている。また、マルチチャンネルだけでなく２ｃｈステレオ再生としても、今までにない高品位な再生を可能にしようとしている。
【０００５】
このようなＤＶＤオーディオディスクにおいて、マルチチャンネルのオーディオ情報しか記録されていない場合、２ｃｈ専用の再生装置を持っている人は、その一部の音しか聞くことができない、又はまったく再生できないといった問題を生じる。
【０００６】
そこで、２ｃｈ専用の再生装置しか持っていない人でも、このディスクを楽しめるようにするには、マルチチャンネルのオーディオ情報と共に２ｃｈ再生用のオーディオ情報を、ディスク上に記録する必要がある。
【０００７】
しかし、この場合、この２種類のオーディオ情報は、当然同じタイトル、同じ曲を録音したものである。従ってこの２種類のオーディオ情報をこのまま、ディスク上に記録したのでは、同名のタイトル、同名の曲が２種類存在することとなりユーザの混乱を招くという第１の問題がある。この第１の問題は、チャンネル等の再生形態が異なる場合だけでなく、バイノーラル録音等の録音形態が異なる場合、あるいはＡＣ−３等の符号化方式が異なる場合、更にはこれらの再生形態、録音形態、または符号化方式の組み合わせが異なる場合に同様に生じる問題であった。
【０００８】
次に、既に規格化された、ＤＶＤビデオフォーマットでは、画像情報と共に複数のオーディオ情報を同時に記録することができる。例えば、ある映画に対して、オリジナルの言語の音声と日本語吹き替えの音声を切り換えることができる。また同様に同一タイトルの中でＬＰＣＭステレオ音声とＡＣ−３マルチチャンネル音声を切り換えることも可能である。従って複数のオーディオ情報を同一のタイトル、同一の曲として扱うことができ、オーディオストリームを変更することで、再生したいオーディオ情報の種類を変更することができるようになっている。
【０００９】
一方、オーディオＤＶＤにも画像情報を記録したいという要求もあり、メニューや付加情報的な映像情報の記録を可能にしようとしている。この場合、ＤＶＤビデオフォーマットと異なる方法で絵を記録したのでは、ビデオフォーマットと互換を取ることができない。現在市場にあるビデオプレーヤでも、オーディオディスクの絵がついた部分の再生ができることが望ましい。
【００１０】
従ってこれらの観点からも、画像を伴った場合の実体情報を記録する構造は、ＤＶＤビデオフォーマットと同じ構造にする必要がある。
【００１１】
しかし、このためには、複数種類のオーディオ情報を多重し、一つのオブジェクトとしてディスク上に記録する必要がある。また複数のストリームを管理するため、データ中にも管理情報を置くことが必要となる。従ってビデオフォーマットと同じ構造を持つことになった場合、再生装置による再生時の切り替えに必要な処理が少ない反面、記録時の処理が複雑になるという不具合を生じる。
【００１２】
オーディオフォーマットには、録音用としての機能や、現在使用されているスタジオ機器との整合性を重視し、特に記録時の処理が複雑でないことが求められており、特にデータ中に管理情報を置かない構造が必要とされる。
【００１３】
従って、オーディオ情報しか記録しない場合のＤＶＤオーディオフォーマット独自の構造と、画像を伴った場合のＤＶＤビデオフォーマットに準拠した構造の２種類の構造が必要となる。このように２種類の構造のデータに対して、音声情報だけを再生しようとする場合、その再生制御情報は、共通な論理構造としないと、全く違った２種類のフォーマットが存在することとなり再生装置の処理が重くなり、統一的な操作を提供できないため、ユーザの混乱を生ずるという第２の問題がある。
【００１４】
本発明は、以上の点に鑑みてなされたものであり、録音形態、再生形態、又は符号化方式等が異なる複数のオーディオ情報をディスクに記録する場合であっても、ユーザに対して混乱を与えることなく、夫々のオーディオ情報を適切に再生させることのできる情報記録媒体及び当該情報記録媒体により夫々のオーディオ情報を適切に再生することのできる再生装置を提供することを第１の課題としている。
【００１５】
また、オーディオ情報しか記録しない場合のＤＶＤオーディオフォーマット独自の構造と、画像を伴った場合のＤＶＤビデオフォーマットに準拠した構造の２種類の構造を有する場合でも、夫々のディスクの構造の相違を意識することなく統一的な操作で複数種類のオーディオ情報を選択する環境を提供することのできる情報記録媒体、更にその適切な再生を可能とする再生装置を提供することを第２の課題としている。
【００１６】
【課題を解決するための手段】
上記の課題を解決するために、請求項１に記載の発明は、複数のセルから構成されていると共に記録方式の異なる複数のオーディオ情報を含む物理的なオーディオ情報と、前記複数のセルから構成される論理的なプログラムを再生するための再生制御情報と、を記録した情報記録媒体であって、一の前記記録方式の前記オーディオ情報を構成する前記セルと、他の前記記録方式の前記オーディオ情報を構成するセルと、が当該情報記録媒体上における異なる位置に記録されており、前記プログラムは、前記一の記録方式の前記オーディオ情報を構成する前記セルと、前記他の記録方式の前記オーディオ情報を構成する前記セルと、の双方で定義されており、前記一の記録方式の前記オーディオ情報と前記他の記録方式の前記オーディオ情報とは同一内容であるように構成される。
【００１７】
上記の課題を解決するために、請求項５に記載の発明は、複数のセルから構成されていると共に記録方式の異なる複数のオーディオ情報を含む物理的なオーディオ情報と、前記複数のセルから構成される論理的なプログラムを再生するための再生制御情報と、を記録した情報記録媒体であって、一の記録方式の前記オーディオ情報を構成する前記セルと、他の記録方式の前記オーディオ情報を構成する前記セルと、が当該情報記録媒体上における異なる位置に記録されており、前記プログラムは、前記一の記録方式の前記オーディオ情報を構成する前記セルと、前記他の記録方式の前記オーディオ情報を構成するセルと、の双方で定義されており、前記一の記録方式の前記オーディオ情報と前記他の記録方式の前記オーディオ情報とは同一内容である情報記録媒体から情報を再生する再生装置であって、情報を読み取る読取手段と、前記オーディオ情報を再生する再生手段と、前記再生制御情報と、予め設定された再生すべき前記オーディオ情報の記録方式と、に基づいて、前記再生手段を制御する制御手段と、を備える。
【００１８】
上記の課題を解決するために、請求項９に記載の発明は、複数のセルから構成されていると共に記録方式の異なる複数のオーディオ情報を含む物理的なオーディオ情報と、前記複数のセルから構成される論理的なプログラムを再生するための再生制御情報と、を記録した情報記録媒体であって、一の記録方式の前記オーディオ情報を構成する前記セルと、他の記録方式の前記オーディオ情報を構成する前記セルと、が当該情報記録媒体上における異なる位置に記録されており、前記プログラムは、前記一の記録方式の前記オーディオ情報を構成する前記セルと、前記他の記録方式の前記オーディオ情報を構成するセルと、の双方で定義されており、前記一の記録方式の前記オーディオ情報と前記他の記録方式の前記オーディオ情報とは同一内容である情報記録媒体から情報を再生する再生方法であって、情報を読み取る読取工程と、前記オーディオ情報を再生する再生工程と、前記再生制御情報と、予め設定された再生すべき前記オーディオ情報の記録方式と、に基づいて、前記再生手段を制御する用に構成される。
【００１９】
【発明の実施の形態】
以下、図面を参照して本発明の好適な実施形態について説明する。
【００２０】
（１）ＤＶＤビデオフォーマット
始めに、映像情報及び音声情報（音楽情報も含む。以下、同じ）のビデオＤＶＤ上における記録フォーマット（物理的記録フォーマット）について、図１を用いて説明する。
【００２１】
（１．１）物理フォーマット
図１に示すように、ビデオＤＶＤ１は、その最内周部にリードインエリアＬＩを有すると共にその最外周部にリードアウトエリアＬＯを有しており、その間がビデオゾーンであり、映像情報及び音声情報が、夫々にＩＤ（識別）番号を有する複数のＶＴＳ（Ｖｉｄｅｏ　Ｔｉｔｌｅ　Ｓｅｔ　）４（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）である。リードインエリアＬＩのすぐ外周には当該ディスク内に記録されるファイルのフォーマットを管理する情報を有するＵＤＦ（Ｕｎｉｖｅｒｓａｌ　Ｄｉｓｋ　Ｆｏｒｍａｔ）２が記録され、それに続いてＶＭＧ（Ｖｉｄｅｏ　Ｍａｎａｇｅｒ）３が記録される。このＶＭＧ３として記録される情報は、例えば、ユーザに対する選択項目を示すメニューや、違法コピー防止のための情報、又は夫々のタイトルにアクセスするためのアクセステーブル等、当該ビデオＤＶＤ１に記録される映像情報及び音声情報の全体に係わる管理情報である。
【００２２】
一のＶＴＳ４は、ＶＴＳＩ（Ｖｉｄｅｏ　Ｔｉｔｌｅ　Ｓｅｔ　Ｉｎｆｏｒｍａｔｉｏｎ）１１を先頭として、夫々にＩＤ番号を有する複数のＶＯＢ（Ｖｉｄｅｏ　ＯＢｊｅｃｔ）１０に分割されて記録されている。ここで、複数のＶＯＢ１０により構成されている部分をＶＯＢセット（ＶＯＢＳ）という。
【００２３】
ＶＴＳ４の先頭に記録されるＶＴＳＩ１１には、複数のセル（セルについては後述する。）を組み合わせた論理的区分であるプログラムチェインに関する種々の情報であるＰＧＣＩ（Ｐｒｏｇｒａｍ　Ｃｈａｉｎ　Ｉｎｆｏｒｍａｔｉｏｎ）等の情報が記録される。また、各ＶＯＢ１０には、映像情報及び音声情報の実体部分が記録される。
【００２４】
一のＶＯＢ１０は、夫々にＩＤ番号を有する複数のセル２０により構成されている。一のセル２０は、夫々にＩＤ番号を有する複数のＶＯＢユニット（ＶＯＢＵ）３０により構成される。ここで、ＶＯＢＵ３０とは、映像情報、音声情報及び副映像情報（映画における字幕等の副映像の情報をいう。）のいずれか又は後述のナビパックのみにより構成される一つの単位である。
【００２５】
一のＶＯＢＵ３０は、ＶＯＢＵ３０に含まれる映像情報等を制御対象とする制御情報が格納されているナビパック４１と、映像情報としてのビデオデータを含むビデオパック４２と、音声情報としてのオーディオデータを含むオーディオパック４３と、副映像情報としてのサブピクチャデータを含むサブピクチャパック４４とにより構成されている。ここで、ビデオデータとしては映像データのみが記録され、オーディオデータとしては音声データのみが記録される。また、サブピクチャデータとしては副映像としての文字や図形等のグラフィックデータのみが記録される。
【００２６】
各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（Ｓｙｓｔｅｍ　Ｃｌｏｃｋ　Ｒｅｆｅｒｅｎｃｅ）と呼ばれる読み出し開始時刻情報や、パックＰの開始であることを示すスタートコード等が記録される。
【００２７】
ナビパック４１は、再生表示させたい映像又は音声等を検索するための検索情報（具体的には、当該再生表示させたい映像又は音声等が記録されているＤＶＤ１上のアドレス等）であるＤＳＩ（Ｄａｔａ　Ｓｅａｒｃｈ　Ｉｎｆｏｒｍａｔｉｏｎ）データ５１と、ＤＳＩデータ５１に基づいて検索された映像又は音声を再生表示する際の再生表示制御に関する情報であるＰＣＩ（Ｐｒｅｓｅｎｔａｔｉｏｎ　Ｃｏｎｔｒｏｌ　Ｉｎｆｏｒｍａｔｉｏｎ）データ５０とにより構成される。
【００２８】
一のＶＯＢＵ３０に含まれている全てのビデオパック４２は、一又は複数のＧＯＰ（Ｇｒｏｕｐ　Ｏｆ　Ｐｉｃｔｕｒｅ）により構成されている。上記ＧＯＰは、本実施の形態におけるＤＶＤ１に映像情報を記録する際に採用されている画像圧縮方式であるＭＰＥＧ２（Ｍｏｖｉｎｇ　Ｐｉｃｔｕｒｅ　Ｅｘｐｅｒｔｓ　Ｇｒｏｕｐ　２）方式の規格において定められている単独で再生可能な最小の画像単位である。
【００２９】
以上説明した図１に示す階層構造の記録フォーマットにおいて、夫々の区分は、ＤＶＤ１内に記録させる記録情報の製作者（以下、単に製作者という。）がその意図に応じて自在に区分設定をして記録させるものである。これらの区分毎に後述の論理構造に基づいて再生することにより、変化に富んだ種々の再生が可能となる。
【００３０】
（１．２）論理フォーマット
次に、図１に示す物理的な区分により記録された情報を組み合わせた論理的フォーマット（論理構造）について図２を用いて説明する。なお、図２に示す論理構造は、その構造で実際にＤＶＤ１上に情報が記録されているのではなく、図２に示す論理構造で図１に示す各データ（特にセル２０）を組み合わせて再生するための再生制御情報（アクセス情報又は時間情報等）がＤＶＤ１上の、特にＶＴＳＩ１１の中に記録されているものである。
【００３１】
説明の便宜上、図２の下位の階層から説明していくと、上記図１において説明した物理構造のうち、複数のセル２０を選択して組み合わせることにより、一のプログラム６０が論理上構成される。なお、このプログラム６０を一又は複数個纏めたものを視聴者が自由に選択して視聴することができる最小単位として製作者が定義することもでき、この単位をＰＴＴ（Ｐａｒｔ　ｏｆ　Ｔｉｔｌｅ）という。
【００３２】
ここで、一のセル２０の番号については、当該セル２０を図１に示す物理フォーマットにおいて取り扱う際にはセルＩＤ番号として取り扱われ（図１中、セルＩＤ＃と示す。）、図２に示す論理フォーマットにおいて取り扱う際には後述のＰＧＣＩ中の記述順にセル番号として取り扱われる。
【００３３】
複数のプログラム６０を組み合わせて一のＰＧＣ（Ｐｒｏｇｒａｍ　Ｃｈａｉｎ）６１が論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、などが含まれている。
【００３４】
一のＰＧＣ６１には、上記ＰＧＣＩの他に、実体的な映像及び音声等のデータがプログラム６０の組み合わせとして（換言すれば、セル２０の組み合わせとして）含まれることとなる。
【００３５】
一又は複数のＰＧＣ６１により、一のタイトル６２が論理上構成される。このタイトル６２は、例えば、映像情報で言えば映画一本に相当する単位であり、製作者がＤＶＤ１の視聴者に対して提供する完結した情報である。
【００３６】
一又は複数のタイトル６２により、一のＶＴＳ６３が論理上構成される。
【００３７】
図２に示す一のＶＴＳ６３に相当する情報は、図１に示す一のＶＴＳ４に含まれている情報に対応している。すなわち、ＤＶＤ１には、図２に示すＶＴＳ６３内に論理上含まれる全ての情報が一のＶＴＳ４として纏めて記録されていることとなる。
【００３８】
以上説明した論理フォーマットに基づいて、物理構造において区分された情報を製作者が指定することにより、視聴者が見るべき映像又は音楽が形成される。
【００３９】
（２）ＤＶＤオーディオフォーマット
次にオーディオ情報（音楽及び音声情報をも含む。以下、同じ）のオーディオＤＶＤ上における記録フォーマット（物理的記録フォーマット）について、図３を用いて説明する。
【００４０】
（２．１）物理フォーマット
始めに、オーディオＤＶＤ上における物理フォーマット（物理的記録フォーマット）について、図３を用いて説明する。
【００４１】
先ず、図３に示すように、実施形態のオーディオＤＶＤ２００は、その最内周部にリードインエリアＬＩを有すると共にその最外周部にリードアウトエリアＬＯを有し、その間は、一のボリュームスペースとなっている。この中に、必ずオーディオゾーンが記録される。このオーディオゾーンに、音声情報が、夫々にＩＤ（識別）番号を有する複数のＡＴＳ（Ａｕｄｉｏ　Ｔｉｔｌｅ　Ｓｅｔ）２０３（ＡＴＳ＃１〜ＡＴＳ＃ｎ）に分割されて記録されている。オーディオゾーンの先頭には簡易再生（２チャンネル再生など）のための再生制御情報としてのＳＡＰＰＴ（Ｓｉｍｐｌｅ　Ａｕｄｉｏ　Ｐｌａｙ　Ｐｏｉｎｔｅｒ　Ｔａｂｌｅ　）２０４が記録されている。このＳＡＰＰＴはオーディオゾーンを有する全てのＤＶＤディスクに記録されている。なお、ＳＡＰＰＴ２０４はリードインエリアＬＩや後述のＡＭＧ２０２中に記録しておいても良い。
【００４２】
リードインエリアＬＩのすぐ外周部には、当該ディスク内に記録されるファイルのフォーマットを管理する情報を有するＵＤＦ（Ｕｎｉｖｅｒｓａｌ　Ｄｉｓｋ　Ｆｏｒｍａｔ）２０１が記録され、ＵＤＦ２０１に続いてＳＡＰＰＴ２０４が記録され、続いてＡＭＧ（Ａｕｄｉｏ　Ｍａｎａｇｅｒ）２０２が記録される。しかし、ＵＤＦ２０１，ＳＡＰＰＴ２０４，その他のファイルの配置は、必ずこの順でなくてはならないというものではない。
【００４３】
このＳＡＰＰＴ２０４に記録される情報は、ＬＰＣＭデータを２ｃｈで再生するのに必要な情報である。またＡＭＧ２０２として記録される情報は、例えば、ユーザに対して項目選択を促すためのメニューや、違法コピー防止のための情報、又は夫々のタイトルにアクセスするためのアクセステーブル等、当該オーディオＤＶＤ２００に記録されている音声情報の全体に係わる管理情報である。
【００４４】
一のＡＴＳ２０３は、ＡＴＳＩ（Ａｕｄｉｏ　Ｔｉｔｌｅ　Ｓｅｔ　Ｉｎｆｏｒｍａｔｉｏｎ）２１１を先頭として、夫々にＩＤ番号を有する複数のＡＯＢ（Ａｕｄｉｏ　Ｏｂｊｅｃｔ）２１０から構成される。
【００４５】
ここで、複数のＡＯＢ２１０により構成されている部分をＡＯＢセット（ＡＯＢＳ）という。このＡＯＢセットは音声情報の実体部分である。
【００４６】
ＡＴＳ２０３の先頭に記録されるＡＴＳＩ２１１には、複数のセル（セルについては後述する。）を組み合わせた論理的区分であるプログラムチェインに関する種々の情報である再生制御情報としてのＡＰＧＣＩ（Ａｕｄｉｏ　Ｐｒｏｇｒａｍ　Ｃｈａｉｎ　Ｉｎｆｏｒｍａｔｉｏｎ）等の情報が記録される。また、各ＡＯＢ２１０には、音声情報の実体部分が記録される。一のＡＯＢ２１０は、夫々にＩＤ番号を有する複数のセル２２０により構成されている。
【００４７】
一のセル２２０は、夫々パック化された複数のオーディオパック２３０または、オーディオパックとリアルタイム情報パック（Ｒｅａｌ　Ｔｉｍｅ　Ｉｎｆｏｒｍａｔｉｏｎ　Ｐａｃｋ）２３１により構成される。オーディオパック２３０は、オーディオＤＶＤに記録されるべき音声情報を所定の大きさ毎にパック化したものであり、例えばリニアＰＣＭなどによりデジタル化されたオーディオ情報が含まれる。リアルタイム情報パック２３１には、テキスト情報、ＢＰＭ（Ｂｅａｔ　Ｐｅｒ　Ｍｉｎｕｔｅｓ）、拍情報、等が含まれる。
【００４８】
以上説明した図３に示す階層構造の記録フォーマットにおいて、夫々の区分は、オーディオＤＶＤ２００内に記録させる記録情報の製作者（以下、単に製作者という。）がその意図に応じて自在に区分設定をして記録できるものである。これらの区分毎に後述の論理構造に基づいて再生することにより、変化に富んだ種々の再生が可能となる。
【００４９】
（２．２）論理フォーマット
次に、図３に示す物理的な区分により記録された情報を組み合わせた論理的フォーマット（論理構造）について図４を用いて説明する。
【００５０】
なお、図４に示す論理構造は、その構造で実際にオーディオＤＶＤ２００上に情報が記録されているのではない。オーディオＤＶＤ上にはあくまで図３に示す物理フォーマットで音声情報が記録されており、この音声情報を再生するための情報が図４に示す論理フォーマットで、前述したＳＡＰＰＴ２０４、ＡＭＧ２０２、ＡＴＳＩ２１１に記録されているのである。
【００５１】
説明の便宜上図４の下位の階層から説明していくと、上記図３において説明した物理構造のうち、一のセルまたは複数のセル２２０を選択して組み合わせることにより、インデックス２５９を構成する。インデックスは、曲番としても使うことができ、ユーザによって、アクセス可能な最小の単位である。
【００５２】
一の又は複数のインデックス２５９により一のトラック２６０が論理上構成される。このトラック２６０は一つの曲に相当する情報単位である。ユーザは任意のトラック（曲）を選択し、ダイレクトにアクセスすることができる。
【００５３】
ここで、一のセル２２０の番号については、当該セル２２０を図３に示す物理フォーマットにおいて取り扱う際にはセルＩＤ番号として取り扱い（図３中、セルＩＤ＃と示す。）、図４に示す論理フォーマットにおいて取り扱う際には後述のＡＰＧＣＩ中の記述順にセル番号として取り扱う。
【００５４】
トラック２６０（曲）は、複数のセルを含む情報単位であり、ある共通の属性などを有するセルの集合である。すなわちトラック内の全てのセルの属性は、すべて同一である。また、トラックに含まれる全てのセルは、同一のオブジェクト内に、隣接して記録される。
【００５５】
一の又は複数のトラック２６０を組み合わせて一のタイトル２６１が論理上構成される。但し、ユーザから、このタイトル自体が、アクセスの単位として認識されることはない。従って、タイトル番号を指定して任意のタイトルにアクセスすることはできない。
【００５６】
オーディオＤＶＤでは、タイトル２６１を構成する各トラック２６０の属性を最大８パターンの中で独立に定義することができる。すなわち各トラック（曲）毎に、チャンネル数、量子化方法、サンプリング周波数など音声情報としての属性を変更してもよい。
【００５７】
このタイトル２６１の単位で、前述したＡＰＧＣＩが定義され、当該ＡＰＧＣＩには、各トラックの属性、夫々のトラック２６０を再生する際の各トラック２６０毎のセル２２０の再生順序、夫々のセル２２０のオーディオＤＶＤ２００上の記録位置であるアドレス、一のトラック２６０における再生すべき先頭セル２２０の番号、各トラック２６０の再生方式及び各種コマンドが含まれている。
【００５８】
一のタイトル２６１には、上記ＡＰＧＣＩの他に、実体的な音声情報がトラック（曲）２６０の組み合わせとして（換言すれば、セル２２０の組み合わせとして）含まれることとなる。
【００５９】
一又は複数のタイトル２６１により、一のタイトルグループ２６２が論理上構成される。また、タイトルグループ２６２は、ユーザがアクセスできる最大の単位で、１ボリューム中、最大９個まで定義することができる。このタイトルグループ２６２は、ある一定の関連性に基づいて集合された１又は複数のタイトル２６１により構成され、タイトルグループ内の全てのタイトルは、連続的に再生される。例えば、ある歌手、作曲家の曲集などを一つのタイトルグループとして集合させることができる。
【００６０】
一又は複数のタイトルグループ２６２により、一のボリューム２６３が論理上構成される。このボリューム２６３は一枚のアルバム（ＤＶＤ）に相当する情報単位である。
【００６１】
図４に示す一のタイトルに含まれる実際の音声情報は、オーディオＤＶＤ上では図３に示すいずれか一のＡＴＳ２０３内に記録されていることになる。
【００６２】
以上説明した論理フォーマットに基づいて、物理構造において区分された情報を製作者が指定することにより、視聴者が聞く音楽が形成される。
【００６３】
（３）ＤＶＤの種類
次に、ＤＶＤにおけるディスクの種類について説明する。なお、以下の説明においては、ＤＶＤ上に記録される情報に関し、映画のように映像と音声の両方を含む情報を「ＡＶ情報」と呼ぶことがあり、その映像部分のみの情報を「ビデオ（又は映像）情報」と呼ぶ。また、映画などのＡＶ情報の音声部分のみ及び音楽のような音声情報のみの情報を「オーディオ（又は音声）情報」と呼ぶ。
【００６４】
また、これらの各種のＤＶＤディスクを再生するＤＶＤプレーヤとしては、ＤＶＤビデオフォーマットによるＡＶ情報の再生が可能なビデオＤＶＤプレーヤ（以下、「ビデオプレーヤ」と呼ぶ。）、ＤＶＤオーディオフォーマットによるオーディオ情報を各種再生形態で再生するオーディオＤＶＤプレーヤ（以下、「オーディオプレーヤ」と呼ぶ。）、ＤＶＤオーディオフォーマットによるＬＰＣＭオーディオ情報を２ｃｈで再生する簡易オーディオＤＶＤプレーヤ（以下、「簡易オーディオプレーヤ」と呼ぶ。）、及び、ＤＶＤビデオフォーマットのＡＶ情報とＤＶＤオーディオフォーマットのオーディオ情報のどちらも再生可能なコンパチブルＤＶＤプレーヤ（以下、「コンパチブルプレーヤ」と呼ぶ。）の４種類がある。それぞれのＤＶＤプレーヤについては後で詳細に説明する。
【００６５】
ＡＶ情報またはオーディオ情報を記録するＤＶＤとして、ビデオＤＶＤ、オーディオナビゲーション付きビデオＤＶＤ、オーディオオンリーＤＶＤ、オーディオ・ビデオ両用ＤＶＤの４種類のディスクが存在する。図５に、４種類のＤＶＤの物理フォーマットを概略的に示す。
【００６６】
なお、これらのＤＶＤはディスク形状や情報記録方式（変調方法、トラツクピッチ、ピットサイズ等）は全て同一であり、情報の内容（コンテンツ）が異なるだけである。
【００６７】
（３．１）ビデオＤＶＤ
図５において最上段に示すのは、ビデオＤＶＤである。このディスクにはＤＶＤビデオフォーマットにしたがった映画などのビデオ情報及びそれと同時に再生されるオーディオ情報（即ち、ＡＶ情報）が記録されている。従って、リードインエリアＬＩとリードアウトエリアＬＯとの間の記録領域には、ビデオゾーンしか存在せず、再生制御情報、ビデオ情報及びオーディオ情報が複数のＶＴＳに含めて記録され、それらＶＴＳの管理情報を含むＶＭＧが記録されている。図１を参照して説明したように、ビデオ情報はビデオパックとして、オーディオ情報はオーディオパックとして記録される。
【００６８】
このビデオＤＶＤは、ＶＭＧに記録されている管理情報の中に含まれるナビゲーション情報（再生のための制御情報を規定する情報。後に詳述する。）に基づいてビデオプレーヤ及びコンパチプルプレーヤにより再生される。しかし、ＤＶＤオーディオフォーマットによるナビゲーション情報が記録されていないため、オーディオプレーヤでは再生できない。
【００６９】
（３．２）オーディオナビゲーション付きビデオＤＶＤ
２段目に示すのはオーディオナビゲーション付きビデオＤＶＤと呼ばれるビデオディスクの一種である。このオーディオナビゲーション付きビデオＤＶＤは、ビデオプレーヤでＤＶＤビデオフォーマットによる映画などのビデオ情報（付随するオーディオ情報を含む）の再生が可能なことに加え、ＤＶＤオーディオフォーマットによるナビゲーション情報も記録したことにより、オーディオプレーヤで、ＶＴＳ内のＶＯＢのＡＶ情報のオーディオ情報のみを再生することを可能にしたディスクである。また、オーディオプレーヤによりオーディオ情報のみを再生することが可能なＡＶ情報の部分をオーディオプレイパートと呼ぶ。
【００７０】
オーディオナビゲーション付きビデオＤＶＤの記録形態は、図１に示すＤＶＤビデオフォーマットに準拠して、ビデオゾーン内にＡＶ情報が複数のＶＴＳの形態で記録されている。これに加え、オーディオナビゲーション付きビデオＤＶＤは、オーディオゾーンとしてビデオゾーンの前方に、ＤＶＤオーディオフォーマットに準拠した、ＶＴＳ内のオーディオ情報のみを再生するために必要な再生制御情報を含むＡＴＳＩがＡＴＳとして記録され、ＡＴＳの管理情報としてのＡＭＧが記録されている。ＡＴＳ内にはオーディオ情報の実体部分であるＡＯＢは記録されない。即ち、このＡＭＧ及びＡＴＳＩには、オーディオナビゲーション付きビデオＤＶＤ内の各ＶＴＳに含まれるオーディオ情報（具体的には、各ＶＯＢ内のオーディオプレイパートオーディオパック（図１参照））をオーディオプレーヤで再生するためのナビゲーション情報が記述されている。
【００７１】
また、オーディオゾーンの先頭にはＳＡＰＰＴが記録されている。このＳＡＰＰＴには、ＶＴＳに含まれるＬＰＣＭオーディオ情報を２ｃｈで再生するためのナビゲーション情報が記述されている。
【００７２】
このオーディオナビゲーション付きビデオＤＶＤは、ＶＭＧに記録されているナビゲーション情報に基づいてビデオプレーヤ及びコンパチブルプレーヤで再生される。また、ＡＭＧ内に記録されているナビゲーション情報に基づいてオーディオプレーヤでオーディオプレイパートのオーディオ情報がプレーヤの能力に応じて各種再生形態で再生される。また、ＳＡＰＰＴに記録されているナビゲーション情報に基づいて簡易オーディオプレーヤでオーディオプレイパートのＬＰＣＭ情報が２ｃｈで再生される。
【００７３】
（３．３）オーディオオンリーＤＶＤ
３段目に示すのは、オーディオオンリーＤＶＤである。このディスクには、若干の静止画像やテキスト情報を除いてオーディオ情報のみが記録されている。従って、リードインエリアＬＩとリードアウトエリアＬＯとの間の記録領域には、オーディオゾーンしか存在せず、ＡＴＳＩ、ＡＯＢが複数のＡＴＳとして記録され、それらＡＴＳの管理情報を含むＡＭＧが記録されている。さらにリードインエリアＬＩ又はオーディオゾーンにはＳＡＰＰＴが記録されている。
【００７４】
また、各ＡＴＳはオーディオ情報の実体部分である１又は複数のＡＯＢを含んでいる。このオーディオオンリーＤＶＤは、ＡＭＧに記録されているナビゲーション情報に基づいてオーディオプレーヤ及びコンパチブルプレーヤでオーディオゾーン内のオーディオ情報がプレーヤの能力に応じて各種再生形態で再生される。また、ＳＡＰＰＴに記録されているナビゲーション情報に基づいて簡易オーディオプレーヤでオーディオゾーン内のＬＰＣＭ情報が２ｃｈで再生される。しかし、ＤＶＤビデオフォーマットによるナビゲーション情報が記録されていないため、ビデオプレーヤでは再生できない。
【００７５】
（３．４）オーディオ・ビデオ両用ＤＶＤ
図５の最下段に示すのはオーディオ・ビデオ両用ＤＶＤと呼ばれるものである。リードインエリアＬＩとリードアウトＬＯの間には、オーディオゾーンとビデオゾーンがある。ビデオゾーンにはビデオＤＶＤと同様にＤＶＤビデオフォーマットに準拠して、ＶＭＧ、再生制御情報及び実体としてのＡＶ情報（ＶＯＢ）を含むＶＴＳが記録されている。リードインエリアＬＩ又はオーディオゾーンにはＳＡＰＰＴが記録されている。
【００７６】
オーディオゾーンにはオーディオオンリーＤＶＤと同様に、ＤＶＤオーディオフォーマットに準拠して、ＳＡＰＰＴ，ＡＭＧ、再生制御情報及び実体としてのオーディオ情報を含む複数のＡＴＳ（図ではＡＴＳ＃１、＃２）が記録される。さらに、ビデオゾーンのＶＴＳ内のＶＯＢのオーディオ情報のみを再生するための再生制御情報だけを含むＡＴＳ（図ではＡＴＳ＃３）も記録されている。すなわち、オーディオ・ビデオ両用ＤＶＤにおいては、ＤＶＤビデオフォーマットによるＡＶ情報とＤＶＤオーディオフォーマットによるオーディオ情報は、別々の領域に記録される。
【００７７】
オーディオ・ビデオ両用ＤＶＤの場合は、ＡＭＧはオーディオゾーン内の全てのＡＴＳの管理情報を含んでいるだけでなく、オーディオゾーンとビデオゾーン内の全てのＡＴＳ及びＶＴＳを絡めた管理情報を含んでいる。またＳＡＰＰＴも、オーディオゾーンとビデオゾーン内の全てのＡＴＳ及びＶＴＳを絡めた管理情報を含んでいる。但し、その管理情報は、両ゾーンの２ｃｈで再生できるＬＰＣＭデータに関するものだけである。
【００７８】
ここで、オーディオ・ビデオ両用ＤＶＤがオーディオナビゲーション付きビデオディスク及びオーディオオンリーＤＶＤと異なる点は、ディスクの記録領域がオーディオゾーンとビデオゾーンに区分され、夫々にＤＶＤビデオフォーマットによるＡＶ情報とＤＶＤオーディオフォーマットによるオーディオ情報が記録されているという点と、オーディオゾーンに記録されるＡＭＧ、及びＳＡＰＰＴがディスク内の全てのＡＴＳおよびＶＴＳを絡めた管理情報を含んでいるという点である。
【００７９】
より詳しく説明すると、オーディオナビゲーション付きビデオディスクでは、オーディオ情報は、ＤＶＤビデオフォーマットに基づいて、ＶＯＢの中にパック単位にビデオ情報と多重されて記録されている。そして、ＶＯＢ内に記録されたオーディオ情報を再生するための再生制御情報であるＡＰＧＣＩがＡＴＳＩとしてＡＴＳが構成され、これらのＡＴＳだけをＡＭＧにより管理する。ＡＭＧにはビデオゾーン内のタイトルの管理情報は記録されない。同様にＳＡＰＰＴにもビデオゾーンのオーディオプレイパートに関するナビゲーション情報が記述される。
【００８０】
これに対し、オーディオ・ビデオ両用ＤＶＤではＤＶＤオーディオフォーマットによるオーディオ情報とＤＶＤビデオフォーマットによるＡＶ情報の記録される領域が別個に存在する。オーディオゾーンには、図３に示したＤＶＤオーディオフォーマットによりオーディオ情報の実体部分が複数のＡＯＢとして各ＡＴＳに記録される。さらに、各ＡＴＳ内のオーディオ情報の再生制御情報であるＡＰＧＣＩをＡＴＳＩ内に記録したＡＴＳだけでなく、ビデオゾーンのＶＴＳ内のＶＯＢに記録されたオーディオ情報の再生制御情報をＡＰＧＣＩとしてＡＴＳＩ内に記録したＡＴＳ（オーディオ実体情報がビデオ領域内にあり、ナビゲーション情報であるＡＴＳＩのみがＡＴＳとして存在している。）の二種類のＡＴＳが記録されている。すなわちゾーンに関わらずオーディオ情報の再生に関わる再生制御情報の全てをＡＴＳをＡＭＧにより管理する。さらに、全てのＡＴＳ，ＶＴＳに記録されているＬＰＣＭオーディオ情報の再生に関わる再生制御情報のうち２ｃｈで再生することのできるトラックに関する情報がＳＡＰＰＴに記録されている。
【００８１】
一方、ビデオゾーン内は、ＡＶ情報が複数のＶＴＳとして記録され、さらに各ＶＴＳ内のＡＶ情報の再生制御情報をＰＧＣＩとしてＶＴＳＩ内に記録し、これらＶＴＳ全てをＶＭＧで管理している。一方、ＡＭＧでもビデオゾーンのＡＶ情報再生に関する再生制御情報の全てを管理している。
【００８２】
具体的には、オーディオオンリーＤＶＤ、オーディオ・ビデオ両用ＤＶＤの場合には、ＡＭＧが総合管理情報となり、ビデオＤＶＤの場合には、ＶＭＧが主たる管理情報となる。オーディオナビゲーション付きビデオＤＶＤの場合、ＡＭＧはオーディオプレーヤによるＶＯＢ内のオーディオ情報だけの再生についてのみ管理しており、ビデオタイトルの管理は行わない。
【００８３】
またオーディオオンリーＤＶＤ、オーディオ・ビデオ両用ＤＶＤの場合には、ＳＡＰＰＴは、例えば簡易型、ポータブル型オーディオプレーヤ等による、ＬＰＣＭオーディオ情報を２ｃｈで再生するための総合管理情報となる。ビデオＤＶＤの場合には、ＳＡＰＰＴが無いためＬＰＣＭで記録されていても、簡易プレーヤによる、オーディオ情報だけの再生を行うことはない。オーディオナビゲーション付きビデオＤＶＤの場合、ＳＡＰＰＴは簡易オーディオプレーヤによるＶＯＢ内のオーディオプレイパートのＬＰＣＭオーディオ情報（オーディオオンリータイトル）の再生についてのみ管理しており、ビデオタイトルの管理は行わない。
【００８４】
このような構造をとることで、再生装置の能力に応じて最適な再生ができ、なおかつ各ディスクと各再生装置との間で整合性のある互換性が、実現されている。
【００８５】
（４）タイトルの再生制御
次に、タイトルの再生制御についてさらに詳しく説明する。ここで、タイトルとは、ＤＶＤに記録されるＡＶ情報、オーディオ情報等の実体情報と、その再生手順を示す再生制御情報とから構成される、再生形態の共通な一連の作品（プレゼンテーション）または作品の一部を指す。オーディオＤＶＤの物理及び論理フォーマットで述べたように、ユーザは、直接タイトルを選択し再生を開始するようプレーヤに指示することはない。ユーザは、１つ又は、複数のタイトルから成るタイトルグループを選択し、再生を開始する。しかしプレーヤは、指示されたタイトルグループが、どのようなタイトルから構成されるかをＡＭＧ及びＡＴＳＩ内のナビゲーション情報から判断し、各タイトルの再生を連続的に行うことにより、タイトルグループの再生を行っている。従ってＤＶＤプレーヤにおいては、タイトルの再生が基本となる。そこでＤＶＤオーディオフォーマットにおけるタイトル、及びタイトルの再生制御についてオーディオ・ビデオ両用ディスクを例に説明する。
【００８６】
（４．１）タイトルの種類
まず、ＤＶＤオーディオフォーマットにおけるタイトル（図４のタイトル２６１）は、オーディオ領域内の音声情報の再生により構成されるオーディオタイトル（以後「ＡＯＴＴ（Ａｕｄｉｏ　Ｏｎｌｙ　Ｔｉｔｌｅ）」とも呼ぶ）と、ビデオ領域内のＡＶ情報の再生により構成されるビデオタイトルとに分類される。またビデオタイトルは、画像専用タイトル（以後「ＡＶＴＴ（Ａｕｄｉｏ　Ｖｉｄｅｏ　Ｔｉｔｌｅ）」とも呼ぶ）と、画像音声両用タイトル（以後「ＡＶＴＴ／ＡＯＴＴ（Ａｕｄｉｏ　Ｖｉｄｅｏ　Ｔｉｔｌｅ　／　Ａｕｄｉｏ　Ｏｎｌｙ　Ｔｉｔｌｅ）」とも呼ぶ）の２種類に分類される。なお、ＤＶＤビデオフォーマットの場合は画像専用タイトルのみである。
【００８７】
ＡＯＴＴは、オーディオ情報のみが再生されるタイトルであり、その実体情報はオーディオゾーン内のＡＯＢに記録されたオーディオ情報により構成される。
【００８８】
ＡＶＴＴは、オーディオ情報が必ずビデオ情報を伴って再生されるタイトルであり、その実体情報はビデオゾーン内のＶＯＢに記録されたＡＶ情報により構成される。ＡＶＴＴではオーディオ情報のみの再生は認められず、ビデオ情報と共に再生することが必須となる。
【００８９】
ＡＶＴＴ／ＡＯＴＴは、オーディオ情報のみでも再生することもでき、ＡＶ情報としてビデオ情報と共にオーディオ情報を再生することもできるタイトル（即ち、両用タイトルということができる）であり、いずれの場合もその実体情報はビデオゾーン内のＶＯＢに記録されたＡＶ情報により構成される。
【００９０】
このＡＶＴＴ／ＡＯＴＴが、ＡＶ情報、オーディオ情報のどちらとして再生されるかは、再生装置の能力に依存する。すなわち、ＡＶ情報の再生能力を有しない再生装置（オーディオプレーヤ）ではＡＶＴＴ／ＡＯＴＴをオーディオ情報のみで再生し、ＡＶ情報の再生能力を有する再生装置（ビデオプレーヤ及びコンパチブルプレーヤ）ではＡＶＴＴ／ＡＯＴＴをビデオ情報と共にオーディオ情報を伴って再生する。
【００９１】
ところで、ＡＭＧには、オーディオプレーヤ用のナビゲーション情報と、コンパチブルプレーヤ用のナビゲーション情報の２つのナビゲーション情報を別個に記録している。オーディオプレーヤ用のナビゲーション情報は、オーディオゾーンのＡＯＢ内のオーディオ情報により構成されるオーディオタイトル（ＡＯＴＴ）及びビデオゾーンのＶＯＢ内のＡＶ情報により構成される両用タイトルの音声情報だけを再生するためのナビゲーション情報を記述したオーディオオンリータイトルサーチポインタであり、これはオーディオオンリータイトルサーチポインタテーブル（ＡＯＴＴ＿ＳＲ）に記録される。一方、全ての種類のタイトルを再生可能なコンパチブルプレーヤ用のナビゲーション情報であるオーディオタイトルサーチポインタは、オーディオタイトルサーチポインタテーブル（ＡＴＴ＿ＳＲ）に記録される。これらのナビゲーション情報については図８の説明にてさらに詳述する。
【００９２】
このオーディオ・ビデオ両用ＤＶＤをビデオプレーヤで再生する場合には、ビデオゾーン内のＶＭＧ及びＶＴＳＩに記録されているビデオプレーヤ用のナビゲーション情報に従って各ＶＴＳ内のＡＶ情報を再生する。
【００９３】
また、このオーディオ・ビデオ両用ＤＶＤをオーディオプレーヤで再生する場合には、オーディオゾーン内のＡＭＧ内のＡＯＴＴ＿ＳＲを参照し、ＡＴＳＩに記録されているオーディオプレーヤ用の再生制御情報に従ってオーディオ情報を再生する。オーディオプレーヤによりオーディオ情報を再生する場合には、２つの場合がある。一つは、オーディオゾーンのＡＭＧ及びＡＴＳ内のナビゲーション情報であるＡＴＳＩ、ＡＰＧＣＩに従ってＡＯＢ内のオーディオ情報を再生する場合であり、もう一つは、オーディオナビゲーション付きビデオディスクと同様に、ＡＭＧ及びＡＴＳＩ、ＡＰＧＣＩに従ってビデオゾーン内のＶＴＳに記録されたオーディオ情報を再生する場合である。後者の場合は、同じオブジェクトに対して、ビデオプレーヤでは画像を伴うＡＶ情報として再生し、オーディオプレーヤではオーディオ情報のみを再生する。
【００９４】
さらに、このオーディオ・ビデオ両用ＤＶＤをコンパチブルプレーヤで再生する場合には、オーディオゾーン内のＡＭＧ内のコンパチブルプレーヤ用のナビゲーション情報であるＡＴＴ＿ＳＲを参照し、ＡＴＳＩ、ＶＴＳＩに記録されている再生制御情報に従って、オーディオゾーン内のオーディオ情報及びビデオゾーン内のＡＶ情報が統合的に再生される。
【００９５】
オーディオ・ビデオ両用ＤＶＤにおけるタイトルは、全てＡＭＧにより管理されており、ＤＶＤオーディオフォーマットの上記３種類のタイトルのいずれかに分類される。今、ＤＶＤオーディオフォーマット及びＤＶＤビデオフォーマットの両方の再生能力を有するコンパチブルプレーヤを使用して図６に示す論理フォーマット例を有するオーディオ・ビデオ両用ＤＶＤを再生する場合を考える。このオーディオ・ビデオ両用ＤＶＤにおいて、ボリユームは＃１〜＃７の７つのタイトルグループから構成されており、各タイトルグループは１つのタイトルにより構成されているものとする。１つのタイトルには１又は複数のトラックが含まれている。図６において、左列はコンパチプルプレーヤ用のナビゲーション情報（ＡＴＴ＿ＳＲ）、中央の列はビデオプレーヤ用のナビゲーション情報（ＴＴ＿ＳＲ）、右の列はオーディオプレーヤ用のナビゲーション情報（ＡＯＴＴ＿ＳＲ）のイメージを示したものである。
【００９６】
タイトル＃２及び＃５はＡＯＴＴであるので、これらのタイトルの再生時にはオーディオ・ビデオ両用ＤＶＤのオーディオゾーン内のＡＯＢに記録されたオーディオ情報のみが再生される。
【００９７】
タイトル＃４、＃６及び＃７はＡＶＴＴであるので、オーディオ・ビデオ両用ＤＶＤのビデオゾーン内のＶＯＢ内に記録されたＡＶ情報が再生される。従って、必ず映像及び音声が再生されることになる。
【００９８】
また、タイトル＃１及び＃３はＡＶＴＴ／ＡＯＴＴであるので、コンパチブルプレーヤはオーディオ・ビデオ両用のＤＶＤのビデオゾーン内のＶＯＢに記録されたビデオ及びオーディオ情報に基づき、音声と映像の両方を再生する。なお、ビデオ情報の再生能力を有しないオーディオプレーヤを使用した場合は、タイトル＃１及び＃３では、オーディオ・ビデオ両用ＤＶＤのビデオゾーン内のＶＯＢに記録されたオーディオ情報のみが再生される（図６の右列参照）。即ち、ＡＶＴＴ／ＡＯＴＴタイトルは、当該ＤＶＤディスクを再生しようとする再生装置の能力に応じて、その能力を最大限に発揮できる方法で記録情報を再生するように作成されている。
【００９９】
なお、タイトルグループ再生時の混乱を無くすため、ＡＶＴＴは他の種類のタイトル（ＡＯＴＴ、ＡＶＴＴ／ＡＯＴＴ）とタイトルグループを構成することができないことが約束されている。
【０１００】
（４．２）ＶＯＢの二重管理
次に、オーディオ・ビデオ両用ＤＶＤのビデオゾーン内のＶＯＢに関して規定されるＰＧＣＩ及びＡＰＧＣＩの概念について説明しておく。ＶＯＢ内には、ビデオ情報及びオーディオ情報が多重された形で記録されている。ＶＯＢをＡＶ情報として再生する場合には、ＰＧＣＩに従って再生することとなり、これは、ビデオＤＶＤの場合と同様の概念である。このようにオーディオＤＶＤにおけるＡＶ情報の記録及び再生の仕方をビデオフォーマットに合わせたため、ビデオプレーヤとの互換性が保たれることになった。これに対しＶＯＢ内のオーディオ情報のみを再生する場合にはＡＰＧＣＩに従って再生を行うが、このＡＰＧＣＩはＰＧＣＩとは独立に規定される。これについて、図７を参照して説明する。
【０１０１】
図７はある一つのＶＯＢを、ＰＧＣＩに従ってＡＶ情報として再生する場合と、ＡＰＧＣＩに従ってオーディオ情報のみとして再生する場合のプログラムの概念を示している。図７において、ＶＯＢにはビデオデータ、サプピクチャデータ及びオーディオデータが含まれている。このＶＯＢをＡＶ情報として再生する場合には、その再生制御はＰＧＣＩに基づいて行われる。ＰＧＣＩでは、当該ＶＯＢを６個のビデオセル＃１−＃６に分割し、ビデオセル＃１によりビデオプログラム＃１を、ビデオセル＃２−＃４によりビデオプログラム＃２を、ビデオセル＃６によりビデオプログラム＃３を構成している。ＡＶＴＴ／ＡＯＴＴの如き、ビデオプレーヤやコンパチプレーヤでＡＶ情報を再生する場合は、このようなＰＧＣＩに従って再生が行われる。
【０１０２】
一方、同一のＶＯＢからオーディオプレーヤがオーディオ情報のみを再生する場合には、ＡＰＧＣＩに従って再生が行われる。ＡＰＧＣＩにより規定されるオーディオプログラムは夫々１又は２以上のオーディオセルにより構成される。ここで、同一のオブジェクト（ＶＯＢ）に対してであっても、オーディオセルがビデオセルと異なるように（独立に）規定することができる（もちろん一致するように規定することも可能である）。即ち、各オーディオセルの開始位置、終了位置などは、いずれのビデオセルとも独立に設定することができる。また、ＡＰＧＣＩにより規定されるオーディオセルの再生順序は、ＰＧＣＩにより規定されるビデオセルの再生順序と独立に規定することが可能である。
【０１０３】
図７の例では、オーディオプログラム＃１はオーディオセル＃１及び＃２により構成され、オーディオプログラム＃２はオーディオセル＃３により構成される。ＡＰＧＣＩは、これらオーディオプログラムに含まれるオーディオセルの記録位置、再生順序などの情報を含んでおり、これに基づいてオーディオ情報の再生が行われる。
【０１０４】
このように、オーディオセルをビデオセルと独立に規定することができるようにした理由は、オーディオ情報をＡＶ情報と独立に管理するためである。こうすることにより、ＶＯＢ内のオーディオ情報のみを再生する場合にＡＶ情報とは独立に時間管理などを行うことが可能となる。また、ＡＶ情報に含まれるオーディオ情報のうち、オーディオ情報のみで再生しても意味のある部分のみの再生が可能となる。もちろん同一セルとして定義することであっても良い。
【０１０５】
（４．３）タイトルサーチポインタ
次にオーディオ・ビデオ両用ＤＶＤにおける、タイトルサーチポインタを用いた、上述の各タイトルの再生について、図６及び図８を参照して説明する。
【０１０６】
図８に、オーディオ・ビデオ両用ＤＶＤのナビゲーション情報の例を示す。前述のように、オーディオ・ビデオ両用ＤＶＤは、ＤＶＤビデオフォーマットに従うビデオゾーン及びＤＶＤオーディオフォーマットに従うオーディオゾーンを有する。オーディオ・ビデオ両用ＤＶＤから再生可能な情報は、映画などのＡＶ情報（音声付き映像情報）とオーディオ情報とである。そして、それぞれの情報を各種プレーヤで再生したとき、混乱や矛盾が生じないようにするためのナビゲーション情報が、各プレーヤに対応して別個にオーディオ・ビデオ両用ＤＶＤ上に記録されている。
【０１０７】
（４．３．１）ＡＭＧ、ＡＴＳＩ、タイトルサーチポインタテーブル
図８において、オーディオ・ビデオ両用ＤＶＤはオーディオゾーンとビデオゾーンとを有する。オーディオゾーンはＡＭＧ２０２とＡＴＳ＃１、ＡＴＳ＃２、ＡＴＳ＃３から構成され、ＡＴＳ＃１はＡＴＳＩ２１１と、ＡＯＢ２１０とから構成され、ＡＴＳ＃３はＡＴＳＩ２１２だけから構成される。また、ビデオゾーンはＶＭＧ３とＶＴＳ＃１、ＶＴＳ＃２から構成され、ＶＴＳ＃１は、ＶＴＳＩ１１と、ＶＯＢ１０とから構成される。
【０１０８】
ＡＭＧ２０２は、ナビゲーション情報の実体部分であるＡＭＧＩ（ＡＭＧ　Ｉｎｆｏｒｍａｔｉｏｎ）２４０を含む。ＡＭＧＩ２４０は、ＡＭＧＩ２４０のファイルサイズや記録アドレスなどの情報を含むＡＭＧＩマネージメントテーブル２４１と、ＡＴＴサーチポインタテーブル２４２と、ＡＯＴＴサーチポインタテーブル２４３と、を含む。ここでＡＴＴとは、オーディオ情報のみから構成されるオーディオオンリータイトル（ＡＯＴＴ）、ＡＶ情報から構成される画像専用タイトル（ＡＶＴＴ）及びＡＶ情報から構成される画像音声両用タイトル（ＡＶＴＴ／ＡＯＴＴ）の総称である。
【０１０９】
ここで、サーチポインタとは、各タイトルの再生制御情報（ここでは、ＡＰＧＣＩ、ＰＧＣＩのことを指す。）のＤＶＤ上の記録位置を示すポインタである。前述のように、各タイトルは、オーディオ情報、ＡＶ情報などの実体情報と、それらの実体情報を組み合わせて再生するための再生制御情報により構成される。この再生制御情報は、ＡＴＳ内のＡＴＳＩ又はＶＴＳ内のＶＴＳＩに記録されている。サーチポインタは、各タイトルの再生制御情報のＡＴＳＩ又はＶＴＳＩ内の記録位置を示すポインタである。なお、ナビゲーション情報は、各タイトルの再生を管理するための情報であり、本実施形態では上記サーチポインタを含む概念である。
【０１１０】
ＡＴＴサーチポインタテーブル２４２は、当該オーディオ・ビデオ両用ＤＶＤの各タイトルをコンパチブルプレーヤで再生する場合のナビゲーション情報を記述したテーブルである。一方、ＡＯＴＴサーチポインタテーブル２４３は、当該オーディオ・ビデオ両用ＤＶＤの各タイトルをオーディオプレーヤで再生する場合のナビゲーション情報を記述したテーブルである。また、ＡＴＴサーチポインタテーブル２４２と、ＡＯＴＴサーチポインタテーブル２４３とは１：１対応しておりＡＴＴサーチポインタテーブル内に記述されるサーチポインタの数は当該オーディオ・ビデオ両用ＤＶＤに含まれる全てのタイトルの数と一致する。例えば、図６に示すように、当該オーディオ・ビデオ両用ＤＶＤに合計７個のタイトルが含まれていれば、ＡＴＴサーチポインタテーブル２４２内にはその７個のタイトルに対応するサーチポインタが記述され、そのタイトルの種類に関わらずＡＯＴＴサーチポインタテーブル２４３にも７個のサーチポインタを記述する枠が用意される。そしてそれぞれのテーブルの枠は１：１に対応している。
【０１１１】
（４．３．１．１）ＡＴＴ＿ＳＲＰ
オーディオタイトルサーチポインタ（ＡＴＴ＿ＳＲＰ）は、オーディオ・ビデオ両用ＤＶＤをコンパチブルプレーヤで再生する際に使用するナビゲーション情報である。従って、オーディオ・ビデオ両用ＤＶＤがセットされると、コンパチブルプレーヤはこのＡＴＴ＿ＳＲＰを参照して各タイトルの再生を行う。
【０１１２】
図８に示すナビゲーション情報の例は、図６に示すオーディオ・ビデオ両用ＤＶＤの例に対応するものであり、タイトル＃１、＃３が画像音声両用タイトル（ＡＶＴＴ／ＡＯＴＴ）、タイトル＃２、＃５がオーディオオンリータイトル（ＡＯＴＴ）、タイトル＃４、＃６、＃７が画像専用タイトル（ＡＶＴＴ）である。
【０１１３】
既に述べたように、オーディオ・ビデオ両用ＤＶＤには３種類のタイトル（ＡＯＴＴ、ＡＶＴＴ／ＡＯＴＴ、ＡＶＴＴ）を記録することができる。よって、オーディオ・ビデオ両用ＤＶＤでは、ＡＭＧのＡＴＴサーチポインタテーブル２４２に、３種類全てのタイトル（ＡＯＴＴ、ＡＶＴＴ／ＡＯＴＴ、ＡＶＴＴ）に関するサーチポインタが記述される。
【０１１４】
しかしながら、図８のＡＴＴサーチポインタテーブル２４２に実際に書かれるタイトルサーチポインタ２４５は、オーディオオンリータイトルサーチポインタ（ＡＯＴＴ＿ＳＲＰ）または画像専用タイトルサーチポインタ（ＡＶＴＴ＿ＳＲＰ）のみであり、画像音声両用タイトル（ＡＶＴＴ／ＡＯＴＴ）についてのタイトルサーチポインタは画像専用タイトルサーチポインタ（ＡＶＴＴ＿ＳＲＰ）として記述される（実際の記述を図８のテーブル中に括弧書きで示している）。これは、コンパチブルプレーヤにとっては画像音声両用タイトル（ＡＶＴＴ／ＡＯＴＴ）と画像専用タイトル（ＡＶＴＴ）を区別する必要が無いからである。即ち、コンパチブルプレーヤは、ＤＶＤビデオフォーマットの再生能力を有しており、全ての画像音声両用タイトルをＡＶ情報として再生するので、ナビゲーション情報上もビデオサーチポインタ（ＡＶＴＴ＿ＳＲＰ）と区別する必要が無いからである。従って、画像の再生を伴うタイトルに関しては、全て画像専用タイトルサーチポインタ（ＡＶＴＴ＿ＳＲＰ）として共通の書式で記述される。
【０１１５】
従って、図６の左列と図８のオーディオタイトルサーチポインタテーブル２４５とを対比すると分かるように、コンパチブルプレーヤ用のナビゲーション情報を記述するＡＴＴサーチポインタテーブル２４２では、画像専用タイトル（タイトル＃４、６、７）及び画像音声両用タイトル（タイトル＃１、３）については画像専用タイトルサーチポインタ（ＡＶＴＴ＿ＳＲＰ）が記述され、オーディオオンリータイトル（タイトル＃２、５）についてはＡＯＴＴサーチポインタ（ＡＯＴＴ＿ＳＲＰ）が記述される。コンパチブルプレーヤは、このテーブル２４２を参照し、図６の左列に示すように、タイトル＃１、３、４、６、７をＡＶ情報として再生し、タイトル＃２、＃５をオーディオ情報として再生する。
【０１１６】
（４．３．１．２）ＡＯＴＴ＿ＳＲＰ
一方、ＡＯＴＴサーチポインタテーブル２４３には、オーディオプレーヤ用のナビゲーション情報が記述されている。よって、オーディオ・ビデオ両用ＤＶＤがセットされると、オーディオプレーヤはこのＡＯＴＴサーチポインタテーブル２４３を参照して再生を行う。
【０１１７】
このテーブルには、オーディオタイトル（ＡＯＴＴ）及び画像音声両用タイトル（ＡＶＴＴ／ＡＯＴＴ）に関するサーチポインタが記述される。オーディオプレーヤはＡＶ情報の再生能力を有しないので、画像専用タイトル（ＡＶＴＴ）についてのサーチポインタの記述は必要が無い。しかし、このテーブルに実際に書かれるサーチポインタは、ＡＯＴＴサーチポインタ（ＡＯＴＴ＿ＳＲＰ）だけである。オーディオプレーヤにとっては、音声のみを再生できるタイトルであるか否かについての情報だけがあれば良く、オーディオタイトル（ＡＯＴＴ）と画像音声両用タイトル（ＡＶＴＴ／ＡＯＴＴ）を区別する必要が無い。従って、オーディオオンリータイトルサーチポインタテーブル（ＡＯＴＴ＿ＳＲＰＴ）２４３上では、オーディオタイトル（ＡＯＴＴ）と画像音声両用タイトル（ＡＶＴＴ／ＡＯＴＴ）を区別せず、全てＡＯＴＴサーチポインタ（ＡＯＴＴ＿ＳＲＰ）として共通な書式で記述される。
【０１１８】
従って、画像音声両用タイトル（ＡＶＴＴ／ＡＯＴＴ）については、上記のＡＴＴサーチポインタテーブル２４２内では画像専用タイトルサーチポインタ（ＡＶＴＴ＿ＳＲＰ）が記述されるが、ＡＯＴＴサーチポインタテーブル２４３内ではオーディオオンリータイトルサーチポインタ（ＡＯＴＴ＿ＳＲＰ）が記述されることになる。
【０１１９】
なお、画像専用タイトル（ＡＶＴＴ）については、タイトルサーチポインタを書く枠だけが用意されているものの、実体的な情報は記述されないか、若しくは、このタイトルはＡＯＴＴ＿ＳＲＰを持っていない（音声だけの再生はできない）旨が記述される。ＡＯＴＴサーチポインタテーブル２４３はオーディオプレーヤ用のナビゲーション情報を記述するものであり、オーディオプレーヤはＡＶ情報の再生は不能だからである。よって、オーディオプレーヤはこのタイトルを再生できないと判断し、この記述を無視する。
【０１２０】
以上のように記述されたＡＯＴＴタイトルサーチポインタテーブル２４３を参照して、オーディオプレーヤは図６の右列に示す再生を行う。即ち、画像専用タイトル＃４、６、７を無視し、タイトル＃１、２、３、５についてオーディオ情報を再生する。
【０１２１】
（４．３．２）ＶＭＧ、ＶＴＳＩ、タイトルサーチポインタ
ＶＭＧ３は、ナビゲーション情報の実体部分であるＶＭＧＩ（ＶＭＧ　Ｉｎｆｏｒｍａｔｉｏｎ）を含む。ＶＭＧＩは、ＶＭＧＩのファイルサイズや記録アドレスなどの情報を含むＶＭＧＩマネージメントテーブル２５０と、タイトルサーチポインタテーブル（ＴＴ＿ＳＲＰＴ）２５１とを含む。タイトルサーチポインタテーブル２５１は、ビデオプレーヤについてのナビゲーション情報を記述したテーブルである。よって、ビデオプレーヤは、このタイトルサーチポインタテーブル（ＴＴ＿ＳＲＰＴ）２５１を参照し、従来のビデオフォーマットで決められた手順に従ってタイトルの再生を行う。従って、ここでいうタイトルは、画像音声両用タイトル（ＡＶＴＴ／ＡＯＴＴ）と画像専用タイトル（ＡＶＴＴ）の２種類であるが、タイトルサーチポインタテーブル（ＴＴ＿ＳＲＰＴ）２５１には、この２つを区別することなく、全てＴＴ＿ＳＲＰとして記述されるということになる。
【０１２２】
このように、オーディオ・ビデオ両用ＤＶＤでは、オーディオプレーヤ、ビデオプレーヤ、コンパチブルプレーヤそれぞれにとって、最適なナビゲーション情報を準備し、３つの別個のタイトルサーチポインタテーブルとして記録している。これにより、各再生装置の能力に応じて最適な再生が行うことができる。
【０１２３】
（４．４）サーチポインタテーブルの構造
次にサーチポインタテーブルの構造についてさらに詳しく説明する。
【０１２４】
（４．４．１）ＡＴＴ＿ＳＲＰ、ＡＯＴＴ＿ＳＲＰ、ＴＴ＿ＳＲＰ
ＡＴＴサーチポインタテーブル２４２は、ＡＴＴサーチポインタの数などの情報を含むＡＴＴサーチポインタ情報２４４と、複数のＡＴＴサーチポインタ２４５とを含む。なお、図８において、各ＡＴＴサーチポインタの括弧内は、実際に当該サーチポインタとして記載されるサーチポインタの種類を示す。前述したようにＡＴＴサーチポインタテーブル２４２に書かれるサーチポインタは、ＡＯＴＴ＿ＳＲＰ又はＡＶＴＴ＿ＳＲＰのいずれかである。
【０１２５】
ＡＯＴＴサーチポインタテーブル２４３は、同様にＡＯＴＴサーチポインタの数などの情報を含むＡＯＴＴサーチポインタ情報２４６と、複数のＡＯＴＴサーチポインタ２４７とを含む。図８において、各ＡＯＴＴサーチポインタの括孤内も、実際に当該サーチポインタとして記述されるサーチポインタの種類を示す。前述のように、ＡＯＴＴサーチポインタテーブルに書かれるサーチポインタは、全てＡＯＴＴ＿ＳＲＰである。
【０１２６】
同一のタイトルを指定するＡＴＴサーチポインタとＡＯＴＴサーチポインタの各サーチポインタテーブル上における位置は、同じでなくてはならない。即ち、ＡＴＴサーチポインタテーブル２４２上のＡＴＴサーチポインタと、ＡＯＴＴサーチポインタテーブル２４３上のＡＯＴＴサーチポインタとは、１：１で対応しており、ＡＴＴ＿ＳＲＰ＃１とＡＯＴＴ＿ＳＲＰ＃１は同一のタイトルを指定する。
【０１２７】
ＴＴサーチポインタテーブル２５１は、同様にＴＴサーチポインタの数などの情報を含むＴＴサーチポインタ情報２５２と、複数のＴＴサーチポインタ２５４とを含む。
【０１２８】
ＡＴＴサーチポインタ２４５とＡＯＴＴサーチポインタ２４７とは１：１で対応しているが、両者とＴＴサーチポインタとの間には必ずしも１：１の対応関係は存在しない。しかし、ＴＴサーチポインタも、対象となるタイトルを論理的に構成するＰＧＣを示すことでその再生手順を示しているという点ではＡＴＴサーチポインタ、ＡＯＴＴサーチポインタと同じである。
【０１２９】
（４．５）各タイトルの再生方法
次に、図６及び８を参照し、オーディオ・ビデオ両用ＤＶＤに記録可能な３種類のタイトルの各々の再生方法について、それらタイトルを再生可能なプレーヤ毎に分類して説明する。
【０１３０】
（４．５．１）オーディオオンリータイトル（ＡＯＴＴ）の再生方法
ＡＯＴＴを再生できるのは、オーディオプレーヤとコンパチブルプレーヤである。ＡＯＴＴは、オーディオ情報再生のためのタイトルである。また、本発明で実現しようとしている、もしくは関連のある、オーディオオンリータイトルの主な再生形態（機能）には、以下のものがある。但し画像音声両用タイトル（ＡＶＴＴ／ＡＯＴＴ）のオーディオプレーヤでの再生において、実現できる再生形態も含む。
【０１３１】
マルチチャンネル再生：
ＤＶＤオーディオフォーマットにおいて、ビデオゾーンのＬＰＣＭオーディオ情報は、最大８ｃｈ可能。ディスクリートマルチチャンネルとしては、最大６ｃｈ可能。この場合、各チャンネルに対して前方３チャンネル＋後方２チャンネル＋サブウーハの組み合わせのから１１パターンが、またディスクリートマルチチャンネルの部分と２ｃｈ再生用の信号との組み合わせから１３パターン計２４パターンの設定が可能。オーディオゾーンのＬＰＣＭオーディオ情報は、最大６チャンネル可能、各チャンネルに対して前方３チャンネル＋後方２チャンネル＋サブウーハの組み合わせの中で２１パターンが可能。
【０１３２】
２ｃｈ再生：
２ｃｈ以下のＬＰＣＭオーディオ情報は、そのまま再生。ビデオゾーンのマルチチャンネルＬＰＣＭオーディオ情報は、ＣＨ０，ＣＨ１の２ｃｈのみ再生、オーディオゾーンのマルチチャンネルＬＰＣＭオーディオ情報は、トラック単位で別々に定義されるダウンミックス係数に基づいて２ｃｈにダウンミックスし２ｃｈとして再生する。
【０１３３】
オーディオセレクション：
ＤＶＤでは、２つの異なった再生形態のオーディオ情報を一つのタイトルとして定義し、ユーザが選択することができる。この機能をオーディオセレクションと呼ぶ。具体的には、ユーザが同一の曲に対して２ｃｈとマルチチャンネルの異なった再生形態を選択することができる。また２ｃｈとマルチチャンネル以外の選択としては、同一の曲に対してＬＰＣＭ記録のオーディオ情報と他のコーディング方式（圧縮音声や１ビット音声など）で記録されたオーディオ情報とを選択し聞くこともできる。
【０１３４】
オーディオコーディングモード（リニアＰＣＭ、ドルビーＡＣ３、ＭＰＥＧオーディオ、ＤＴＳ、ＳＤＤＳ）：
オーディオ情報を記録する際の符号化方式の種類を示す。ＣＤにも使われているＬＰＣＭがよく知られている。他は圧縮符号化方式の一つである。
【０１３５】
マルチチャンネルタイプ：
ＤＶＤオーディオフォーマットにおける、ＬＰＣＭのマルチチャンネル記録の種類を示す。タイプ１の場合には、最大６ｃｈまで設定可能。各チャンネルにとスピーカ配置の関係も、前方３チャンネル＋後方２チャンネル＋サブウーハの組み合わせの中で設定可能。
【０１３６】
チャンネルアサイメント（チャンネル数、スピーカ配置）：
ＬＰＣＭのマルチチャンネルにおける、チャンネル数、各チャンネルと出力スピーカ配置との関係、及び各チャンネルとチャンネルグループとの関係を示す。例えば、３ｃｈの信号が記録されている場合、ＣＨ０は、Ｌｅｆｔ　Ｆｒｏｎｔ　ｓｐｅａｋｅｒ：左前から出力する信号でチャンネルグループ１に含まれる、ＣＨ１は、Ｒｉｇｈｔ　Ｆｒｏｎｔ　ｓｐｅａｋｅｒ：右前から出力する信号でチャンネルグループ１に含まれる、　ＣＨ２は、Ｓｕｒｒｏｕｎｄ　ｓｐｅａｋｅｒ：後方から出力する信号で、チャンネルグループ２に含まれる、といった関係であることを示す。前述したように、マルチチャンネルタイプが、タイプ１の場合には、前方３チャンネル＋後方２チャンネル＋サブウーハの組み合わせの中で２１パターンの設定が可能で、チャンネルアサイメント情報がこの２１パターンのうちどの組み合わせであるかを示す。
【０１３７】
マルチストリーム：
ＤＶＤオーディオフォーマットにおけるオーディオ領域に記録されるオーディオの実体情報は、ＡＯＢの中に、唯一のオーディオストリームとして記録されるが、ビデオ領域に記録されるオーディオの実体情報は、ＶＯＢの中に、映像のストリームと共に、パック毎に多重して記録される。またＶＯＢは、限られた転送レートの範囲内であれば、複数のオーディオストリームを多重することができる。例えば２ｃｈ／ＬＰＣＭオーディオストリームとマルチチャンネル／ＬＰＣＭオーディオストリームを多重したり、２ｃｈ／ＬＰＣＭオーディオストリームとＡＣ−３圧縮音声ストリームを多重することも可能である。これらの再生形態の異なる２つのオーディオストリームは、オーディオセレクションの値を指定することにより、ユーザが選択することができる。
【０１３８】
（４．５．１．１）オーディオプレーヤの場合
最初に、オーディオプレーヤがＡＯＴＴを再生する方法について説明する。前述のように、オーディオプレーヤはナビゲーション情報としてＡＯＴＴ＿ＳＲＰＴ２４３のみを参照する。従って、タイトル＃２を再生しようとすると、ＡＯＴＴ＿ＳＲＰ＃２を参照し、当該タイトルが含まれる、ＡＴＳ番号（この場合は、ＡＴＳ＃１）とそのＡＴＳ内でのタイトル番号を読み出す（図８、「Ｐ２Ａ（１）」で示すパスを参照）。次に該当するＡＴＳ＃１のＡＴＳＩ２１１を参照し（図８、「Ｐ２Ａ（２）」で示すパスを参照）、先のＡＴＳ内でのタイトル番号から当該タイトルが対応するＡ（Ａｕｄｉｏ）ＰＧＣＩを読み出す。従って、再生時にはＡＯＴＴ＿ＳＲＰ＃２が指定するＡＰＧＣＩに従ってＡＯＢ２１０内のオーディオパック４３を再生することによりオーディオ情報を再生する（図８、「Ｐ２Ａ（３）」で示すパスを参照）。
【０１３９】
（４．５．１．２）コンパチブルプレーヤの場合
次に、コンパチブルプレーヤがＡＯＴＴを再生する方法ついて説明する。コンパチブルプレーヤはナビゲーション情報としてＡＴＴ＿ＳＲＰＴ２４２を参照する。従って、タイトル＃２を再生しようとすると、ＡＴＴ＿ＳＲＰ＃２を参照し、それがＡＯＴＴ＿ＳＲＰであるので、当該タイトルがＡＯＴＴであることを認識する。以後、オーディオプレーヤと同様に、当該タイトルが含まれる、ＡＴＳ番号（この場合は、ＡＴＳ＃１）とそのＡＴＳ内でのタイトル番号を読み出す（図８、「Ｐ２Ｃ（１）」で示すパスを参照）。次に該当するＡＴＳ＃１のＡＴＳＩ２１１を参照し（図８、「Ｐ２Ｃ（２）」で示すパスを参照）、先のＡＴＳ内でのタイトル番号から当該タイトルが対応するＡＰＧＣＩを読み出す。従って、再生時にはＡＴＴ＿ＳＲＰ＃２が指定するＡＰＧＣＩに従ってＡＯＢ２１０内のオーディオパック４３を再生することによりオーディオ情報を再生することができる（図８、「Ｐ２Ｃ（３）」で示すパスを参照）。
【０１４０】
（４．５．２）画像専用タイトル（ＡＶＴＴ）
次に、画像専用タイトルの再生のパスを説明する。画像専用タイトルは、ビデオプレーヤとコンパチブルプレーヤが再生することができる。
【０１４１】
（４．５．２．１）ビデオプレーヤの場合
ビデオプレーヤは、ナビゲーション情報としてＴＴ＿ＳＲＰＴ（タイトルサーチポインタテーブル）２５１を参照し、ビデオフォーマットの再生手順に従って処理を行う。従って、まずＶＭＧ３のタイトルサーチポインタテーブル２５１を参照する。ここでオーディオナビゲーション上で対応するタイトルの各タイトルサーチポインタテーブル２４２、２４３上のサーチポインタの記述位置と、ＶＭＧ３のタイトルサーチポインタテーブル２５１上のタイトルサーチポインタの記述位置は、１：１に対応していなくてもよい。即ち、ＡＭＧＩのＡＴＴサーチポインタテーブル２４２とＶＭＧＩのＴＴサーチポインタテーブル２５１において、その内容及び順番を、独立に定義することができる。ただし、混乱を避けるため、タイトルサーチポインタテーブル２５１内に、ＶＭＧＩのＴＴ＿ＳＲＰ２５４に対応するタイトルがない場合には、原則としてＴＴサーチポインタテーブル上で枠を詰めて記述することとする。従ってタイトル番号は、図８で示すように異なる場合がある。即ち、図６に示す例のオーディオ・ビデオ両用ＤＶＤには７個のタイトルが存在するが、ビデオプレーヤはＡＯＴＴであるタイトル＃２及び＃５は再生しないので、これらを省いた残りの５個のタイトル（タイトル＃１、＃３、＃４、＃６、＃７）についてのＴＴ＿ＳＲＰをタイトルサーチポインタテーブル２５１内に記述している。よって、タイトルサーチポインタテーブル２５１内のＴＴ＿ＳＲＰ＃１−＃５は、夫々図６に示す各タイトル＃１、＃３、＃４、＃６、＃７に対応している。
【０１４２】
ＴＴ＿ＳＲＰ２５４は、対象となるタイトルを論理的に構成するＰＧＣを示している。従ってビデオプレーヤは、このサーチポインタから当該タイトルが含まれるＶＴＳ番号（この場合は、ＶＴＳ＃１）とそのＶＴＳ内でのタイトル番号を読み出す（図８、「Ｐ３Ｖ（１）」で示すパスを参照）。次に該当するＶＴＳ＃１のＶＴＳＩ１１を参照し（図８、「Ｐ３Ｖ（２）」で示すパスを参照）、先のＶＴＳ内でのタイトル番号から当該タイトルが対応するＰＧＣＩを読み出す。よって、ビデオプレーヤは、このＰＧＣＩを取得し、ＶＯＢ内のビデオパック、オーディオパックなどを使用して当該タイトルをＡＶ情報として再生する（図８、「Ｐ３Ｖ（３）」で示すパスを参照）。
【０１４３】
（４．５．２．２）コンパチブルプレーヤの場合
次に、コンパチブルプレーヤが画像専用タイトル（ＡＶＴＴ）を再生する場合のパスについて説明する。コンパチブルプレーヤはナビゲーション情報としてＡＴＴ＿ＳＲＰＴ２４２のみを参照する。従って、このＡＴＴ＿ＳＲＰ＃４を参照し、それがＡＶＴＴ＿ＳＲＰであるので、当該タイトルが画像専用タイトルであることを認識する。前述したように、ビデオプレーヤにおけるタイトル番号とは一致しない。しかし以後は、ビデオプレーヤがＴＴ＿ＳＲＰＴから読み出したのと同様に、ＡＴＴ＿ＳＲＰ２４５から、当該タイトルが含まれる、ＶＴＳ番号（この場合は、ＶＴＳ＃１）とそのＶＴＳ内でのタイトル番号を読み出す（図８、「Ｐ４Ｃ（１）」で示すパスを参照）。次に該当するＶＴＳ＃１のＶＴＳＩ１１を参照し（図８、「Ｐ４Ｃ（２）」で示すパスを参照）、先のＶＴＳ内でのタイトル番号から当該タイトルが対応するＰＧＣＩを読み出す。よって、コンパチブルプレーヤも、このＰＧＣＩを取得し、ＶＯＢ内のビデオパック、オーディオパックなどを使用して当該タイトルをＡＶ情報として再生する（図８、「Ｐ４Ｃ（３）」で示すパスを参照）。
【０１４４】
（４．５．２．３）オーディオプレーヤの場合
次に、オーディオプレーヤの場合について説明する。オーディオプレーヤはナビゲーション情報としてＡＯＴＴ＿ＳＲＰＴ２４３のみを参照する。従ってＡＯＴＴ＿ＳＰＲ＃４を読み出すが、ここには該当するＡＯＴＴは無いと書かれているため、再生を中止する。
【０１４５】
（４．５．３）画像音声両用タイトル（ＡＶＴＴ／ＡＯＴＴ）の場合
画像音声両用タイトルは、オーディオプレーヤ、ビデオプレーヤ、コンパチブルプレーヤ全てのプレーヤで再生される。従ってこの順に説明する。
【０１４６】
（４．５．３．１）オーディオプレーヤの場合
最初に、オーディオブレーヤが画像音声両用タイトルを再生する方法について説明する。オーディオプレーヤはナビゲーション情報としてＡＯＴＴ＿ＳＲＰＴ２４３しか参照しない。従って、ＡＯＴＴ＿ＳＲＰ＃１を参照し、当該タイトルが含まれるＡＴＳ番号（この場合は、ＡＴＳ＃３）とそのＡＴＳ内でのタイトル番号を読み出す（図８、「Ｐ１Ａ（１）」で示すパスを参照）。次に該当するＡＴＳ＃３のＡＴＳＩ２１２を参照し（図８、「Ｐ１Ａ（２）」で示すパスを参照）、先のＡＴＳ内でのタイトル番号から当該タイトルが対応するＡＰＧＣＩを読み出す。但し、このＡＴＳ＃３は、実体としてのオーディオデータを含まず、このＡＰＧＣＩはＶＴＳ＃１のＶＯＢ１０に対する再生手順を示すものである。従って、再生時にはこのＡＰＧＣＩに従ってＶＯＢ１０内のオーディオパック４３だけを再生することによりオーディオ情報のみを再生する（図８「Ｐ１Ａ（３）」で示すパスを参照）。
【０１４７】
（４．５．３．２）ビデオプレーヤの場合
次にビデオプレーヤが画像音声両用タイトル再生する方法について説明する。前述したように、ビデオプレーヤは、ディスクの種類に関わらず、ビデオフォーマットの再生手順に従って処理を行う。従って、まず最初にＶＭＧ３のタイトルサーチポインタテーブル２５１を参照する。ここでのタイトル番号は＃１であり、オーディオナビゲーション上のタイトル番号と一致する。以後のパスは、（５．２．１）の場合と同様であるので説明を省略する（図８、「Ｐ１Ｖ（１）、（２）、（３）」で示すパスを参照）。
【０１４８】
（４．５．３．３）コンパチブルプレーヤの場合
次に、コンパチブルプレーヤが画像音声両用タイトルを再生する方法について説明する。コンパチブルプレーヤはナビゲーション情報としてＡＴＴ＿ＳＲＰＴ２４２のみを参照する。従って、このＡＴＴ＿ＳＲＰ＃１を参照し、ＡＶＴＴであることを認識する。以後は、ビデオプレーヤがＴＴ＿ＳＲＰＴ２５１から読み出したのと同様に、ＡＴＴ＿ＳＲＰ２４５から、当該タイトルが含まれるＶＴＳ番号（この場合も、ＶＴＳ＃１）とそのＶＴＳ内でのタイトル番号を読み出す（図８、「Ｐ１Ｃ（１）」で示すパスを参照）。以後のパスは、ビデオプレーヤの場合と同様であるので説明を省略する（図８、「Ｐ１Ｃ（２）、Ｐ１Ｃ（３）で示すパスを参照」。
【０１４９】
以上説明したように、ビデオ用のナビゲーション情報とオーディオ用のナビゲーション情報を持つだけでなく、それらを統合する情報を持ち、又はそれらを関連づける情報を持つことで、各種再生形態が異なるタイトルを、再生能力が異なる各種プレーヤで再生した際の矛盾と混乱をなくすことができる。
【０１５０】
（５）タイトルの管理情報
今まで述べてきたようにユーザは、所望のタイトルグループ又はそこに含まれるトラックを選択し、再生を指示する。再生装置は、指示されたタイトルグループを構成する、タイトル又は指示されたトラックが含まれるタイトルを、再生装置の能力に応じて自動的に選択し再生を開始する。
【０１５１】
さらに、ＤＶＤオーディオフォーマットでは、オーディオタイトル（ＡＯＴＴ）又は画像音声両用タイトル（ＡＶＴＴ／ＡＯＴＴ）をオーディオプレーヤで再生する場合、オーディオ情報を選択することができる論理構造となっている。この機能を実現するための構造について、最初にそのナビゲーション情報を図９に基づいて説明する。図９は、図３又は図８に示したＡＴＳ２０３の構造を詳細に示したブロック図である。
【０１５２】
（５．１）ＡＴＳＩ
ＡＴＳ２０３は、前述したようにナビゲーション情報としてのＡＴＳＩ２１１とオーディオ実体情報（ＡＯＴＴ＿ＡＯＢ２１０）の纏まりとしてのＡＯＴＴ＿ＡＯＢＳ１０’及びＡＴＳＩ２１１のバックアップとしてのＡＴＳＩ＿ＢＵＰ２１３から構成されている。
【０１５３】
また、ＡＴＳＩ２１１は図９に示すように、管理情報としてのＡＴＳＩ＿ＭＡＴ２７０と再生制御情報のテーブルであるＡＴＳ＿ＰＧＣＩＴ２７１から構成されている。
【０１５４】
（５．１．１）ＡＴＳＩ＿ＭＡＴ
管理情報のＡＴＳＩ＿ＭＡＴ２７０には、各種テーブルのアドレス情報やオーディオ実体情報に関する属性情報やダウンミックス係数等が記述される。
【０１５５】
（５．１．１．１）属性情報
属性情報には、ＡＯＴＴ＿ＡＯＢＳ２１０’に含まれるＡＯＴＴ＿ＡＯＢ２１０に関して、各ＡＯＴＴ＿ＡＯＢ２１０毎に、その符号化方式、標本化周波数、量子化ビット数、チャンネル数、マルチチャンネルタイプ、チャンネルアサイメント等が、記述される。このようにＡＴＳ２０３に、ＡＯＴＴ＿ＡＯＢＳ２１０’が在る場合には、複数種類のオーディオ情報は、別のＡＯＴＴ＿ＡＯＢ２１０としてＡＯＴＴ＿ＡＯＢＳ２１０’の中に個々に分かれて記録されることなる。また、ＡＴＳ２０３には、ＡＯＴＴ＿ＡＯＢＳ２１０’を持たないものもあり、この場合の属性情報には、ビデオゾーンに記録されたＶＯＢ（ＡＯＴＴ＿ＶＯＢ，
ＡＶＴＴ＿ＶＯＢ
）１０のオーディオストリームに関する属性情報が、記述される。従ってＶＯＢ１０に複数種類のオーディオ情報が、複数のストリームとしてＶＯＢに記録されている場合、各ストリーム毎にそのストリーム番号とその属性情報がここに記述される。
【０１５６】
（５．１．２）ＡＴＳ＿ＰＧＣＩＴ
ＡＴＳ＿ＰＧＣＩＴ２７１は、再生制御テーブル全体に関する情報を記述する、ＡＴＳ＿ＰＧＣＩＴＩ２７２とタイトルに対応する再生制御情報を探すためのサーチポインタ（ＡＴＳ＿ＰＧＣＩ＿ＳＲＰ）２７５のテーブル２７５と再生制御情報（ＡＴＳ＿ＰＧＣＩ）２７６そのもののテーブル２７４から構成される。
【０１５７】
（５．１．２．１）ＡＴＳ＿ＰＧＣＩ＿ＳＲＰ
本発明では、種類の異なる複数のオーディオ情報をディスクに記録すると共に、原則として録音対象が共通なオーディオ情報については、同じ作品、同じ曲として取り扱うために、図１０及び図１１に示すように、管理情報としてのＰＧＣ３００を導入し、一つのタイトル２６１に種類の異なる複数のオーディオ情報を関係付けている。このＰＧＣ３００を用いたオーディオ情報の管理方法の詳細については後述するが、本発明においては、一つのタイトル２６１に種類の異なる複数のオーディオ情報を関係付ける場合には、ＰＧＣ３００をブロック化した論理構造を有している。
【０１５８】
そして、このＰＧＣ３００により管理されるオーディオ実体情報の再生制御情報がＡＴＳ＿ＰＧＣＩ２７６であり、ＡＴＳ＿ＰＧＣＩ＿ＳＲＰ２７５には、各タイトル６２１に対応するＡＴＳ＿ＰＧＣＩ２７６を探すための情報が記述される。例えば、各ＡＴＳ＿ＰＧＣＩ２７６毎にそのＰＧＣ３００がエントリーであるかどうかが記述される。エントリーとは、ＰＧＣブロックを代表するＰＧＣ３００であることを示す情報である。また、
ＡＴＳ＿ＰＧＣＩ＿ＳＲＰ２７５には、ＡＴＳ２０３内のタイトル番号、ＰＧＣブロックを形成しているかどうか、またＰＧＣブロックの中での関係（先頭、ブロック中、最後）、ブロックタイプ、チャンネル数、符号化方式、
ＡＴＳ＿ＰＧＣＩ２７６の開始アドレス等が記述される。
【０１５９】
前述したように、タイトル再生開始時には、ＡＭＧ２０２のＡＯＴＴ＿ＳＲＰ２４７でＡＴＳ番号とＡＴＳタイトル番号をもって、対応するＡＴＳ＿ＰＧＣＩ２７６を取得すると説明してきたが、対応する番号のＡＴＳ２０３の、ＡＴＳ＿ＰＧＣＩ＿ＳＲＰ２７５を見ると、ＡＴＳタイトル番号に対応するＡＴＳ＿ＰＧＣＩ２７６の記録されている場所がわかる。
【０１６０】
また、複数のオーディオ情報が一つのタイトルに対応している場合には、同じＡＴＳタイトル番号を持ったＡＴＳ＿ＰＧＣＩ＿ＳＲＰ２７５が複数存在することとなる。この場合には、他の情報（ブロックタイプ、チャンネル数、符号化方式）とあわせ判断し最適な、ＰＧＣ３００を選択し、再生を開始することとなる。
【０１６１】
（５．１．２．２）ＡＴＳ＿ＰＧＣＩ
サーチポインタのテーブルに続いて、各タイトルに対応した再生制御情報としてのＡＴＳ＿ＰＧＣＩ２７６が並び、テーブルを構成している。
【０１６２】
本発明では、ＰＧＣ３００によりオーディオ実体情報を管理するために、図１０又は図１１に示すように、プログラム３０１という区分情報を用いている。プログラム３０１は、前述したセル２２０を、一曲等の再生単位で区分する情報であり、トラック２６０に対応した情報である。従って、タイトル２６１に対応するＰＧＣ３００は、一又は複数のプログラム３０１を管理することになり、この情報がＡＴＳ＿ＰＧＣＩ２７６に記述される。
【０１６３】
一つのＡＴＳ＿ＰＧＣＩ２７６は、ＰＧＣ３００全体に関する情報（ＡＴＳ＿ＰＧＣ＿ＧＩ）２９０と、そのＰＧＣ３００を構成する各プログラム３０１に関する情報を集めたテーブルＡＴＳ＿ＰＧＩＴ２９１、さらにプログラム３０１を構成する各セル２２０に関する情報を集めたテーブルＡＴＳ＿Ｃ＿ＰＢＩＴ２９２から構成される。
【０１６４】
（５．１．２．２．１）ＡＴＳ＿ＰＧＣ＿ＧＩ
ＡＴＳ＿ＰＧＣ＿ＧＩ２９０には、当ＰＧＣ３００全体に関する情報として、プログラム数、セル数、ＰＧＣ再生時間、この情報の後に続く各テーブルのスタートアドレス等、が記述されている。
【０１６５】
（５．１．２．２．２）ＡＴＳ＿ＰＧＩＴ
ＡＴＳ＿ＰＧＣ＿ＧＩ２９０に続いて、当ＰＧＣ３００を構成するプログラム３０１に関する情報ＡＴＳ＿ＰＧＩが、その再生順にプログラム数だけ並び、テーブルＡＴＳ＿ＰＧＩＴ２９１を形成している。一つのＡＴＳ＿ＰＧＩには、連続再生のための情報、当プログラムが再生するオーディオ実体情報（ＡＯＢ）の属性を特定するための情報、ダウンミックス係数を特定するための情報、プログラム先頭に対応するセル番号、スタートＰＴＳ、プログラム再生時間、等の情報が記述される。
【０１６６】
このＡＴＳ＿ＰＧＩの属性を特定する情報とは、前述した、ＡＴＳＩ＿ＭＡＴ２７０中に具体的に書かれているオーディオ実体情報の属性情報を属性番号ということで特定し、両者を対応させることで初めて当プログラムの詳細な属性情報を得ることができる。この属性番号をプログラム毎に定義できる構造としているため、ＤＶＤオーディオフォーマットでは、曲毎に属性が変更できる構造となっている。
【０１６７】
しかし、ＡＴＳ＿ＰＧＣＩ＿ＳＲＰ２７５の中でも属性に関する情報がある。ＡＴＳ＿ＰＧＣＩ＿ＳＲＰ２７５に記述される属性情報は、種類の異なるオーディオ実体情報を選択するための情報であり、各プログラム３０１に共通な属性情報のみの記述となる。逆にいえば、プログラム単位で属性を自由に設定することができるといっても、符号化方式は共通でなければならない。またＰＧＣブロックを組んだ場合は、ＰＧＣ３００内の全てのプログラム３０１はチャンネル数も２ｃｈ以下で統一する又は３ｃｈ以上で統一する、という制限を守る必要がある。
【０１６８】
また、プログラム先頭に対応するセル番号により、当プログラム３０１がどのセル２２０と対応しているかがわかる。
【０１６９】
（５．１．２．２．３）ＡＴＳ＿Ｃ＿ＰＢＩＴ
ＡＴＳ＿ＰＧＩＴ２９１に続いて、当ＰＧＣ３００を構成するセルに関する情報ＡＴＳ＿Ｃ＿ＰＢＩが、その再生順にセル数だけ並びテーブルＡＴＳ＿Ｃ＿ＰＢＩＴ２９２を形成している。一つのＡＴＳ＿Ｃ＿ＰＢＩは、インデックス番号、セルタイプ、スタートアドレス、エンドアドレス等が記録される。ここで初めてタイトル２６１に対応するオーディオ実体情報のディスク上のアドレスがわかる。
【０１７０】
例えば、ユーザがあるタイトルグループ２６２の３曲目を指示したとする。このタイトルグループ２６２は１つのタイトル２６１から構成されているとする。タイトル２６１に対応するＡＴＳ＿ＰＧＣＩの取得は前述したとおりである。３曲目なのでプログラム＃３に対応する３番目のＡＴＳ＿ＰＧＩＴ２９１を読み、その中の先頭セル番号＃ｎを取得する。プログラム３０１（＃３）はセル２２０（＃ｎ）から開始することがわかったので、ｎ番目のＡＴＳ＿Ｃ＿ＰＢＩを読み取り、ここに記述されている、スタートアドレスを取得し、そこへジャンプし３曲目の再生を開始することとなる。
【０１７１】
（５．２）オーディオ情報の記録方法
次に、本実施形態において、複数の種類の異なるオーディオ情報がどのように記録されるかについて説明する。
【０１７２】
各オーディオディスクの物理構造の説明で述べたように、ＡＴＳ２０３，ＶＴＳ３には、それぞれ、オーディオ実体情報としてのＡＯＢ２１０、ＡＶ実体情報としてのＶＯＢ１０が含まれる。さらにオーディオタイトルとして再生される実体情報をそれぞれ、ＡＯＴＴ＿ＡＯＢ，ＡＯＴＴ＿ＶＯＢとも呼ぶ。複数のＡＯＴＴ＿ＡＯＢ，ＡＯＴＴ＿ＶＯＢを一つの纏まりとしたものが、それぞれＡＯＴＴ＿ＡＯＢＳ，ＡＯＴＴ＿ＶＯＢＳである。
【０１７３】
複数の種類の異なるオーディオ情報とは、　具体的に以下に示す３種類に分類される。
【０１７４】
ａ．録音状況が異なる複数のオーディオ情報（たとえば、通常録音とバイノーラル録音、ホール前方での録音とＳ席での録音、ワンポイント録音とマルチマイクによる録音、等々）
ｂ．符号化方式が異なる複数のオーディオ情報（たとえば、ＬＰＣＭとＭＰＥＧ，Ｄｏｌｂｙ　ＡＣ−３，ＳＤＤＳ，ＤＴＳ、等々）
ｃ．再生形態（チャンネル数が２ｃｈ以下又は３ｃｈ以上）が、異なる複数のオーディオ情報
録音状況、符号化方式、再生形態、は、それぞれ独立に決めることができる。しかしここで対象とする、種類の異なる複数のオーディオ情報とは、原則として録音対象が共通なオーディオ情報であり、同じ作品（タイトル）、同じ曲（トラック）として扱われるべきものである。これらの種類の異なる複数のオーディオ情報は、ディスク上に２種類の異なった方法で記録される。
【０１７５】
（５．２．１）複数のオーディオストリームを有したＡＯＴＴ＿ＶＯＢＳ
ＤＶＤオーディオフォーマットであっても、画像情報の伴った場合のオーディオ情報の記録方式は、ＤＶＤビデオフォーマットと互換を取るためＤＶＤビデオフォーマットと同じ記録方式とした。そこで、画像情報と共に種類の異なる複数のオーディオ情報を記録する場合には、同一の実体情報（ＡＯＴＴ＿ＶＯＢ）に、別ストリームとして、多重し、記録することとした。ビデオフォーマットのところでも述べたように、ＶＯＢ１０には、画像情報やオーディオ情報を始め副映像情報等がそれぞれ別なストリームとして定義され、それぞれパック単位（２０４８Ｂｙｔｅｓ）に分割され、この単位で多重され一つのシステムストリームとして、ディスク上に記録される。
【０１７６】
ここでオーディオ情報としては、最大８種類まで定義できるので、種類の異なるオーディオ情報をそれぞれ、異なったストリーム番号を持つ別ストリームとして記録することができる。このような記録方法を取った場合には、ＤＶＤビデオフォーマットと互換を取ることができる。また、再生装置が再生時に処理するストリームを変更するだけで簡単にオーディオ情報の種類を変更することができる、といったメリットがある。さらに、ビデオタイトルとして見た場合、一つの実体情報に記録しているので、当然、同一タイトル、同一トラックとして扱うことができる。従って、チャンネル数等の異なる複数のオーディオ情報を、ユーザへ混乱を与えることなく、適切に記録できる。
【０１７７】
但し、このようなストリームの多重方式は、オーディオフォーマットに対しては不適切である。ＤＶＤディスクにおいては、全てのストリームのデータ転送レートの合計が１０．０８Ｍｂｐｓ以下でなくてはならないという制限がある。従って、以下の表１に示すような二つのストリームを多重することができない。
【０１７８】
【表１】
2004103207.tif 000003
【０１７９】
オーディオＤＶＤでは、非圧縮のＬＰＣＭ音声を必ず記録する必要があるので、標本化周波数が高い場合、もしくはチャンネル数が多い場合、必要とされるデータ転送レートが高い。従ってオーディオ情報を主体とし、主に非圧縮のＬＰＣＭ音声を複数記録しようとする場合には、このストリームの多重方式は、不適当といえる。
【０１８０】
また、オーディオフォーマットには、録音用としての機能や、現在使用されているスタジオ機器との整合性を重視し、特に記録時の処理が簡単なことが求められている。ＤＶＤビデオフォーマットのようにビデオストリームを始めとし、複数の可変レートのストリームを多重する構造を持つことになると、データ中に管理情報を置かなくてはならない。また、この管理情報には、前後数分のデータに関するアドレス情報を記述する構造となっており、録音装置として考えると、前後の数分のデータがそろわないとディスクに記録することができない。従って簡易な録音機を構成できないといった問題を生じる。また、現在のスタジオ機器以外に、新たなオーサリング装置が必要となる。といった問題もある。
【０１８１】
（５．２．２）複数のブロックＡＯＴＴ＿ＡＯＢＳ
オーディオ情報だけを記録する場合は、上記の問題点を解決することを、より重要な課題とし、オーディオフォーマットとして求められる構造を採ることとした。そこで、一つの実体情報（ＡＯＴＴ＿ＡＯＢ）には、１種類のオーディオストリームしか記録しないこととし、種類の異なる複数のオーディオ情報を記録する場合には、別の実体情報（ＡＯＴＴ＿ＡＯＢ）としてディスク上別のエリアに分離して記録することとした。このようにすることで、一つのオーディオ情報のデータ転送レートが、１０．０８Ｍｂｐｓ以下であれば、いくつでも記録できる構造となる。また１種類のオーディオストリームしか記録しないため、そのオーディオ情報が非圧縮のＬＰＣＭのように固定レートのデータで在れば、データ中に管理情報を置く必要もなく、記録時の処理も簡単なものとなる。
【０１８２】
また２ｃｈのオーディオ情報とマルチチャンネルのオーディオ情報とを同時に再生する必要はなく、また瞬時に切り換える必要性もあまりない。従って別の実体情報に分離して記録した場合には、再生時の切り換えに伴う処理が、複雑なものになるが、大きな問題ではないといえる。
【０１８３】
しかし、この場合、複数の実体情報を、同一のタイトルとして扱う仕組みが必要となる。また同じ仕組みで、ＡＯＴＴ＿ＶＯＢに複数のストリームとして記録されたオーディオ情報も統一的に扱う必要がある。
【０１８４】
（５．３）オーディオセレクション
以上のように、種類の異なる複数のオーディオ情報を記録する方法には、大きく分けて２つの方法があるが、夫々において問題がある。そこで、本発明は、再生制御情報に次のような論理構造を持たせることにより、夫々の方法における問題を解決し、適切なオーディオセレクションを可能にした。ここで、オーディオセレクションとは、同一タイトルとして扱う必要がある、ディスク上の異なるエリアに記録されている種類の異なる複数のオーディオ情報を切り換えるこという。
【０１８５】
まず、種類の異なる複数のオーディオ情報を、別の実体情報（ＡＯＴＴ＿ＡＯＢ）としてディスク上別のエリアに分離して記録する方法を採る場合には、図１０に示すように、オーディオ実体情報の記録方式（図１０の場合には、録音形態：２ｃｈとマルチｃｈ）の異なる複数の各オーディオ実体情報（この場合はオーディオタイトルであるので、ＡＯＴＴ＿ＡＯＢ２１０（ＡＯＢ＃１，ＡＯＢ＃２））の再生に対して、夫々のＡＯＢ２１０を構成するセル２２０を、第２区分単位としてのプラグラム３０１の単位に区分する。また、夫々のプログラム３０１を、第２区分情報としてのプログラム番号（＃１，＃２，＃３，…）により識別する。このプログラム３０１とは、トラック２６０に対応した再生単位であり、例えば１曲分に相当する。従って、夫々のオーディオ実体情報（ＡＯＴＴ＿ＡＯＢ２１０（ＡＯＢ＃１，ＡＯＢ＃２））は、記録方式が異なるものの、内容は同一であるから、夫々のオーディオ実体情報についてのプログラム３０１の数及び順序は等しくなる。図１０の場合は、夫々、プログラム＃１，＃２，＃３で構成されることになる。
【０１８６】
次に、夫々のプログラム３０１（プログラム＃１，＃２，＃３）を、管理情報としてのブロック化された夫々別のＰＧＣ３００（ＰＧＣ＃１，ＰＧＣ＃２）によりまとめる。そして、これらのＰＧＣ３００（ＰＧＣ＃１，ＰＧＣ＃２）を、同一のトラック２６１（図１０の場合はトラック＃１）に対応させることにより、同一のトラック２６０（＃１）に対して、夫々の記録方式の異なるオーディオ実体情報を含むプログラム３０１（プログラム＃１，＃２，＃３）を関係付けている。つまり、本発明は、第２区分情報としてのプログラム番号により識別されるプログラム単位のオーディオ実体情報であって、夫々記録方式の異なるオーディオ実体情報を、第１区分情報としてのトラック番号（＃１，＃２，＃３，…）により識別される第１区分単位としてのトラック２６１であって、同一のトラック番号を有する同一のトラック２６１に、管理情報としてのブロック化された別々のＰＧＣ３００を用いて関係付けている。
【０１８７】
このようにすることにより、種類の異なる複数のオーディオ情報を、別の実体情報（ＡＯＴＴ＿ＡＯＢ）としてディスク上別のエリアに分離して記録する方法を採る場合でも、ユーザからは、同一のタイトル、同一の曲と認識され、ユーザの指示又は再生装置の能力にあった記録方式のオーディオ実体情報を管理するＰＧＣ３００を選択することで、種類の異なる複数のオーディオ実体情報を統一的に扱うことができる。
【０１８８】
次に、ビデオフォーマットの記録領域に、ストリーム多重方式により記録方式の異なるオーディオ実体情報を記録する方法を採る場合には、図１１に示すように、
オーディオ実体情報ＡＯＴＴ＿ＶＯＢ１０（図１１の場合はＶＯＢ＃１）を、ブロック化され、かつ夫々の記録方式（図１１の場合には録音形態：２ｃｈとマルチｃｈ）ごとに設けられた別々のＰＧＣ３００（図１１の場合はＰＧＣ＃１，＃２）を用いて、同一のトラック２６１（図１１の場合はトラック＃１）に関係つける。なお、夫々のＰＧＣ３００が、プログラム３０１（図１１の場合はプログラム＃１，＃２，＃３）を管理する点は、図１０の場合と同様である。
【０１８９】
このような論理構造を採ることにより、夫々のＰＧＣ３００により、夫々のオーディオ実体情報の記録方式が管理されているので、オーディオストリーム内のナビゲーション情報を直接参照することなく、ＰＧＣ３００を記録方式に応じて選択するだけで、所望の記録方式のオーディオ情報を適切に再生することができる。つまり、本発明によれば、ビデオフォーマットで記録されたオーディオ情報を、オーディオフォーマットの制御情報で管理することができる。勿論、この場合でも、ユーザからは、同一のタイトル、同一の曲と認識される。従って、ユーザの指示又は再生装置の能力にあったＰＧＣを選択することで、種類の異なる複数のオーディオ情報を統一的に扱うことができる。
【０１９０】
以上のように、本発明によれば、オーディオ情報が、ＡＯＴＴ＿ＡＯＢに記録されている場合（オーディオタイトルを再生する場合）でも、ＡＯＴＴ＿ＶＯＢに記録されている場合（画像音声両用タイトルを再生する場合）でも、同じ仕組みでオーディオセレクションを行うことができ、本発明は、オーディオタイトル（ＡＯＴＴ）又は、画像音声両用タイトル（ＡＶＴＴ／ＡＯＴＴ）をオーディオプレーヤで再生する場合に有効である。
【０１９１】
さらに図１２，１３を用いて具体的な例で、このオーディオセレクションがどのように行われるかを説明する。
【０１９２】
（５．３．１）オーディオタイトルにおけるオーディオセレクション
最初に、オーディオタイトルをオーディオプレーヤ又はコンパチプレーヤで再生する場合を説明する。ここで、全てのタイトルグループは、１つのタイトルで構成されているものとする。再生装置が２ｃｈ専用であるか、ユーザが２ｃｈ再生を選択するように設定しているとする。また、ユーザがタイトルグループ２６２（＃ｊ）の再生を指示したとする。
【０１９３】
前述したように、タイトルグループ２６２に対応するタイトルのＡＴＳ番号とＡＴＳタイトル番号がＡＯＴＴ＿ＳＲＰ２４７を参照し取得する（図８参照）。その結果ＡＴＳ番号は＃２、ＡＴＳタイトル番号は＃３だったとする。ここまでの流れは（４．５．１．１）オーディオプレーヤの場合、及び（４．５．１．２）コンパチブルプレーヤの場合、で説明したとおりである。
【０１９４】
次にＡＴＳ＃２のＡＴＳＩ２１１を読み取り、ＡＴＳＩ＿ＭＡＴ２７０に書かれている属性情報を記憶する（図１２、「Ｐ１２（１）」で示すパスを参照）。この段階では、再生しようとしているタイトルの各トラックの属性を特定することはできない。とりあえず全ての属性情報を記憶しておく。
【０１９５】
続いてＡＴＳ＿ＰＧＣＩＴ２７１を読み、この中のＰＧＣＩサーチポインタ（ＡＴＳ＿ＰＧＣＩ＿ＳＲＰ）２７３を読みにいく（図１２、「Ｐ１２（２）」で示すパスを参照）。このテーブルの中でＡＴＳタイトル番号（ＡＴＳ＿ＴＴＮ）が＃３のＡＴＳ＿ＰＧＣＩ＿ＳＲＰ２７３を探す。この場合、第１区分情報としてのＡＴＳタイトル番号が＃３のＡＴＳ＿ＰＧＣＩ＿ＳＲＰ２７３が二つあり（＃３と＃４）、ＰＧＣブロックを構成していることがわかる。そこで、どちらのＰＧＣ３００を選択するかを判断する。この場合、再生装置が２ｃｈ専用であるか、又はユーザが２ｃｈ再生を選択するように設定されているので、ブロックタイプの項目を見る。ここに、チャンネル数の違いによりＰＧＣブロックを組んでいると書かれているので、次にＡｕｄｉｏ　ｃｈａｎｎｅｌｓの項目２８４（図９及び図１２参照）をみて２ｃｈ以下と書かれている方のＰＧＣ３００を選択する。そして選択したＰＧＣ３００の再生制御情報ＡＴＳ＿ＰＧＣＩ２７６の書かれているアドレス（この場合は１６３８４）を取得し、そこへジャンプし、再生制御情報を読み取り、記憶する（図１２、「Ｐ１２（３）」で示すパスを参照）。
【０１９６】
再生制御情報の中には、トラック２６０に対応する、プログラム３０１に関する情報テーブルと、セル２２０に関する情報テーブルとがある。タイトル先頭から再生を開始する場合には、プログラム＃１のＡＴＳ＿ＰＧＩを見て、プログラム＃１の属性を特定する情報と先に記憶した属性情報を使い、プログラム＃１の属性を特定する。この属性に従ってオーディオデコーダをセットする。次にＡＴＳ＿ＰＧＩから、プログラム＃１の先頭セル番号を読み（この場合、再生しようとしているのがプログラム＃１なので、当然その先頭セル番号も＃１である。）、その番号に対応するＡＴＳ＿Ｃ＿ＰＢＩからセル２２０の記録されているアドレスを読み取り、そこへジャンプし再生を開始する（図１２、「Ｐ１２（４）」で示すパスを参照）。
【０１９７】
通常再生の場合は、次のプログラムになるまで、再生中のメモリに記憶されているＡＴＳ＿Ｃ＿ＰＢＩを使ってセルの再生を続ける。プログラムの再生が終わったら、これもメモリ中のＡＴＳ＿ＰＧＩと属性情報を使って、次のプログラム再生のための一連の処理を行い再生を開始する。この動作をタイトル終了まで繰り返す。従って前述したように、管理情報内の全ての属性情報と再生制御情報ＡＴＳ＿ＰＧＣＩを記憶していなければならない。
【０１９８】
次に、再生装置がマルチチャンネル再生に対応していて、なおかつユーザがマルチチャンネル再生を選択するように設定しているとする。また、ユーザがタイトルグループ２６２（＃ｊ）の再生を指示したとする。
【０１９９】
タイトルグループ２６２に対応するタイトルのＡＴＳ番号＃２とＡＴＳタイトル番号＃３を取得し、ＡＴＳ＃２のＡＴＳＩ２１１を読みに行く。ここまでは２ｃｈ再生を選択した場合と同じである（図１２、「Ｐ１Ｍ（１）」で示すパスを参照）。また、ＡＴＳＩ２１１のＡＴＳＩ＿ＭＡＴ２７０に書かれている属性情報を記憶し、ＡＴＳ＿ＰＧＣＩＴ２７１を読み、この中のＡＴＳ＿ＰＧＣサーチポインタ２７３を読みにいく（図１２、「Ｐ１Ｍ（２）」で示すパスを参照）。ここまでの処理も２ｃｈ再生を選択した場合と変わりはない。
【０２００】
このテーブルの中でＡＴＳタイトル番号（ＡＴＳ＿ＴＴＮ）が＃３のＡＴＳ＿ＰＧＣ＿ＳＲＰ２７３を探す。この場合ＡＴＳタイトル番号が＃３のＡＴＳ＿ＰＧＣＩ＿ＳＲＰが二つあり（＃３と＃４）ＰＧＣブロックを構成していることがわかる。そこで、どちらのＰＧＣ３００を選択するかを判断する。この場合、再生装置がマルチチャンネル再生に対応していて、なおかつユーザがマルチチャンネル再生を選択するように設定しているので、ブロックタイプの項目を見る。ここに、チャンネル数の違いによりＰＧＣブロックを組んでいると書かれているので、次にＡｕｄｉｏ　ｃｈａｎｎｅｌｓの項目２８４をみて３ｃｈ以上と書かれている方のＰＧＣ３００を選択する。そして選択したＰＧＣ３００の再生制御情報ＡＴＳ＿ＰＧＣＩ２７６の書かれているアドレス（この場合は２４５７６）を取得し、そこへジャンプし、再生制御情報を読み取り、記憶する（図１２、「Ｐ１Ｍ（３）」で示すパスを参照）。
【０２０１】
以後の処理は、処理するＰＧＣ３００が異なり、再生する実体情報が異なる以外、２ｃｈ再生を選択した場合と基本的に同じである。再生制御情報の中の、プログラムに関する情報テーブルからプログラム＃１のＡＴＳ＿ＰＧＩを見て、プログラム＃１の属性を特定し、オーディオデコーダをセットする。次にＡＴＳ＿ＰＧＩから、プログラム＃１の先頭セル番号＃１のＡＴＳ＿Ｃ＿ＰＢＩを読み、セル＃１の記録されているアドレスを読み取り、そこへジャンプし再生を開始する（図１２、「Ｐ１Ｍ（４）」で示すパスを参照）。
【０２０２】
（５．３．２）画像音声両用タイトルにおけるオーディオセレクション
画像音声両用タイトルをオーディオプレーヤで再生する場合を説明する。ここで、全てのタイトルグループ２６２は、１つのタイトルで構成されているものとする。再生装置がＬＰＣＭ専用であるか、ユーザがＬＰＣＭの再生を選択するように設定しているとする。また、ユーザがタイトルグループ２６２（＃ｊ）の再生を指示したとする。
【０２０３】
前述したように、タイトルグループ２６２に対応するタイトル２６１のＡＴＳ番号とＡＴＳタイトル番号をＡＯＴＴ＿ＳＲＰ２４７を参照し、取得する。その結果ＡＴＳ番号は＃２、ＡＴＳタイトル番号は、＃４だったとする。ここまでの流れは（４．５．３．１）オーディオプレーヤの場合で説明したとおりである。
【０２０４】
次にＡＴＳ＃２のＡＴＳＩ２１２を読み取り、ＡＴＳＩ＿ＭＡＴ２７０に書かれている属性情報を記憶する（図１３、「Ｐ２Ｌ（１）」で示すパスを参照）。この段階では、再生しようとしているタイトルの各トラックの属性を特定することはできない。とりあえず全ての属性情報を記憶しておく。また、この場合、画像音声両用タイトルを再生しようとしているので、対応するＡＴＳ２０３は、実体情報の無い、ナビゲーション情報だけのＡＴＳとなっている。
【０２０５】
続いてＡＴＳ＿ＰＧＣＩＴ２７１を読み、この中のＰＧＣＩサーチポインタ２７３を読みにいく（図１３、「Ｐ２Ｌ（２）」で示すパスを参照）。このテーブルの中でＡＴＳタイトル番号（ＡＴＳ＿ＴＴＮ）が＃４のＡＴＳ＿ＰＧＣＩ＿ＳＲＰ２７３を探す。この場合ＡＴＳタイトル番号が＃４のＡＴＳ＿ＰＧＣＩ＿ＳＲＰ２７３が二つあり（＃４と＃５）ＰＧＣブロックを構成していることがわかる。そこで、どちらのＰＧＣ３００を選択するか判断する。
【０２０６】
この場合、再生装置がＬＰＣＭ専用であるか、ユーザがＬＰＣＭの再生を選択するように設定しているので、ブッロクタイプの項目を見る。ここに、チャンネル数及び符号化方式の違いによりＰＧＣブロックを組んでいると書かれているので、次にＡｕｄｉｏ　ｃｏｄｉｎｇ　ｍｏｄｅの項目２８５をみてＬＰＣＭと書かれている方のＰＧＣ３００を選択する。
【０２０７】
次に、選択したＰＧＣの再生制御情報ＡＴＳ＿ＰＧＣＩ２７６の書かれているアドレス（この場合は２４５７６）を取得し、そこへジャンプし、再生制御情報を読み取り、記憶する（図１３、「Ｐ２Ｌ（３）」で示すパスを参照）。
【０２０８】
再生制御情報の中には、トラック２６１に対応する、プログラム３０１に関する情報テーブルと、セル２２０に関する情報テーブルとがある。タイトル先頭から再生を開始する場合には、プログラム＃１のＡＴＳ＿ＰＧＩを見て、プログラム＃１の属性を特定する情報と先に記憶した属性情報を使って、プログラム＃１の属性を特定する。この属性に従ってオーディオデコーダをセットする。次にＡＴＳ＿ＰＧＩから、プログラム＃１の先頭セル番号を読み（この場合、再生しようとしているのがプログラム＃１なので、当然その先頭セル番号も＃１である。）、その番号に対応するＡＴＳ＿Ｃ＿ＰＢＩからセルの記録されているアドレスを読み取り、そこへジャンプし再生を開始する（図１３、「Ｐ２Ｌ（４）」で示すパスを参照）。
【０２０９】
通常再生の場合は、次のプログラムになるまで、再生中のメモリに記憶されているＡＴＳ＿Ｃ＿ＰＢＩを使ってセルの再生を続ける。プログラムの再生が終わったら、これもメモリ中のＡＴＳ＿ＰＧＩと属性情報を使って、次のプログラム再生のための一連の処理を行い再生を開始する。この動作をタイトル終了まで繰り返す。従って前述したように、管理情報内の全ての属性情報と再生制御情報ＡＴＳ＿ＰＧＣＩを記憶していなければならない。
【０２１０】
次に、再生装置が、マルチチャンネル再生及びＡＣ−３（符号化方式の一種：Ｄｏｌｂｙ　Ｄｉｇｉｔａｌ）に対応していて、ユーザがＡＣ−３の再生を選択するように設定しているとする。また、ユーザがタイトルグループ２６２（＃ｊ）の再生を指示したとする。
【０２１１】
タイトルグループ２６２に対応するタイトル２６１のＡＴＳ番号＃２とＡＴＳタイトル番号＃４を取得し、ＡＴＳ＃２のＡＴＳＩ２１１を読みに行く。ここまではＬＰＣＭ再生を選択した場合と同じである（図１３、「Ｐ２Ａ（１）」で示すパスを参照）。また、ＡＴＳＩ２１１のＡＴＳ＿ＭＡＴ２７０に書かれている属性情報を記憶し、ＡＴＳ＿ＰＧＣＩＴ２７１を読み、この中のＡＴＳ＿ＰＧＣサーチポインタ２７３を読みにいく（図１３、「Ｐ２Ａ（２）」で示すパスを参照）。ここまでの処理もＬＰＣＭ再生を選択した場合と変わりはない。
【０２１２】
このテーブルの中でＡＴＳタイトル番号（ＡＴＳ＿ＴＴＮ）が＃４のＰＧＣ３００を探す。この場合ＡＴＳタイトル番号が＃４のＰＧＣが二つありＰＧＣブロックを構成していることがわかる。そこで、どちらのＰＧＣ３００を選択するか判断する。
【０２１３】
この場合、再生装置がマルチチャンネル再生及びＡＣ−３に対応していて、ユーザがＡＣ−３の再生を選択するように設定しているとするので、ブロックタイプの項目を見る。ここに、チャンネル数及び符号化方式の違いによりＰＧＣブロックを組んでいると書かれているので、次にＡｕｄｉｏ　ｃｏｄｉｎｇ　ｍｏｄｅの項目２８５をみてＡＣ−３と書かれている方のＰＧＣを選択する。そして選択したＰＧＣの再生制御情報ＡＴＳ＿ＰＧＣＩ２７６の書かれているアドレス（この場合は３２７６８）を取得し、そこへジャンプし、再生制御情報を読み取り、記憶する（図１３、「Ｐ２Ａ（３）」で示すパスを参照）。
【０２１４】
以後の処理は、処理するＰＧＣが異なり、再生するストリームが異なる以外、ＬＰＣＭ再生を選択した場合と基本的に同じである。再生制御情報の中の、プログラムに関する情報テーブルからプログラム＃１のＡＴＳ＿ＰＧＩを見て、ＰＧ＃１の属性を特定し、オーディオデコーダをセットする。次にＡＴＳ＿ＰＧＩから、プログラム＃１の先頭セル番号＃１のＡＴＳ＿Ｃ＿ＰＢＩを読み、セル＃１の記録されているアドレスを読み取り、そこへジャンプし再生を開始する（図１３、「Ｐ２Ａ（４）」で示すパスを参照）。但し、この場合再生する実体情報（ＡＯＴＴ　ＶＯＢ）が同じなので、ジャンプ先のアドレスも、ＬＰＣＭの再生を選択した場合と同じとなる。
【０２１５】
（６）再生装置
（６．１）ビデオＤＶＤプレーヤ
図１４に示すように、実施の形態に係るビデオＤＶＤプレーヤは、ピックアップ８０と、復調訂正部８１と、ストリームスイッチ８２及び８４と、トラックバッファ８３と、システムバッファ８５と、デマルチプレクサ８６と、ＶＢＶ（Ｖｉｄｅｏ　Ｂｕｆｆｅｒ　Ｖｅｒｉｆｉｅｒ　）バッファ８７と、ビデオデコーダ８８と、サブピクチャバッファ８９と、サブピクチャデコーダ９０と、混合器９１と、オーディオバッファ９２と、オーディオデコーダ９３と、入力部９８と、ディスプレイ９９と、システムコントローラ１００と、ドライブコントローラ１０１と、スピンドルモータ１０２と、スライダモータ１０３とにより構成されている。なお、図１４に示す構成は、ビデオＤＶＤプレーヤの構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０２１６】
次に、動作を説明する。
【０２１７】
ピックアップ８０は、図示しないレーザダイオード、ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓｐを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０２１８】
ピックアップ８０から出力された検出信号Ｓｐは、復調訂正部８１に入力され、復調処理及び誤り訂正処理が行われて復調信号Ｓｄｍが生成され、ストリームスイッチ８２及びシステムバッファ８５に出力される。
【０２１９】
復調信号Ｓｄｍが入力されたストリームスイッチ８２は、ドライブコントローラ１０１からのスイッチ信号Ｓｓｗ１によりその開閉が制御され、閉のときには、入力された復調信号Ｓｄｍをそのままスルーしてトラックバッファ８３に出力する。一方、ストリームスイッチ８２が開のときには、復調信号Ｓｄｍは出力されず、不要な情報（信号）がトラックバッファ８３に入力されることがない。
【０２２０】
復調信号Ｓｄｍが入力されるトラックバッファ８３は、ＦＩＦＯ（Ｆｉｒｓｔ　Ｉｎ　Ｆｉｒｓｔ　Ｏｕｔ）メモリ等により構成され、入力された復調信号Ｓｄｍを一時的に記憶すると共に、ストリームスイッチ８４が閉とされているときには、記憶した復調信号Ｓｄｍを連続的に出力する。
【０２２１】
連続的に復調信号Ｓｄｍが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓｓｗ２により開閉が制御される。
【０２２２】
一方、トラックバッファ８３と並行して復調信号Ｓｄｍが入力されるシステムバッファ８５は、ＤＶＤ１をローディングしたときに最初に検出され、ＤＶＤ１に記録されている情報全体に関する管理情報（ＶＭＧ２等）又はＶＴＳ３毎のＶＴＳ１１を蓄積して制御情報Ｓｃとしてシステムコントローラ１００に出力すると共に、再生中にナビパック４１毎のＤＳＩデータ５１を一時的に蓄積し、システムコントローラ１００に制御情報Ｓｃとして出力する。
【０２２３】
ストリームスイッチ８４を介して復調信号Ｓｄｍが連続的に入力されたデマルチプレクサ８６においては、当該復調信号Ｓｄｍから各パック毎にビデオデータ、オーディオデータ、サブピクチャデータ及びナビパック毎のＰＣＩデータを抽出し、ビデオ信号Ｓｖ、副映像信号Ｓｓｐ、オーディオ信号Ｓａｄ並びにＰＣＩ信号Ｓｐｃとして、夫々ＶＢＶバッファ８７、サブピクチャバッファ８９、及びオーディオバッファ９２に出力する。
【０２２４】
このとき、デマルチプレクサ８６は、各パック（オーディオパック４３を含む。）及びパケットからパックヘッダ及びパケットヘッダ等を抽出し、夫々に含まれる情報をヘッダ信号Ｓｈｄとしてシステムコントローラ１００に出力する。
【０２２５】
ビデオ信号Ｓｖ　が入力されるＶＢＶバッファ８７は、ＦＩＦＯメモリ等により構成され、ビデオ信号Ｓｖを一時的に蓄積し、ビデオデコーダ８８に出力する。ＶＢＶバッファ８７は、ＭＰＥＧ２方式により圧縮されているビデオ信号Ｓｖにおける各ピクチャ（図２参照）毎のデータ量のばらつきを補償するためのものである。そして、データ量のばらつきが補償されたビデオ信号Ｓｖがビデオデコーダ８８に入力され、ＭＰＥＧ２方式により復調が行われて復調ビデオ信号Ｓｖｄとして混合器９１に出力される。
【０２２６】
一方、副映像信号Ｓｓｐが入力されるサブピクチャバッファ８９は、入力された副映像信号Ｓｓｐを一時的に蓄積し、サブピクチャデコーダ９０に出力する。サブピクチャバッファ８９は、副映像信号Ｓｓｐに含まれるサブピクチャデータ４４を、当該サブピクチャデータ４４に対応するビデオデータ４２と同期して出力するためのものである。そして、ビデオデータ４２との同期が取られた副映像信号Ｓｓｐがサブピクチャデコーダ９０に入力され、復調が行われて復調副映像信号Ｓｓｐｄとして混合器９１に出力される。
【０２２７】
ビデオデコーダ８８から出力された復調ビデオ信号Ｓｖｄ及びサブピクチャデコーダ９０から出力された復調副映像信号Ｓｓｐｄ（対応する復調ビデオ信号Ｓｖｄとの同期が取れている。）は、混合器９１により混合され、最終的な表示すべき映像信号Ｓｖｐとして図示しないＣＲＴ（Ｃａｔｈｏｄ　Ｒａｙ　Ｔｕｂｅ）等の表示部に出力される。
【０２２８】
オーディオ信号Ｓａｄが入力されるオーディオバッファ９２は、ＦＩＦＯメモリ等により構成され、入力されたオーディオ信号Ｓａｄを一時的に蓄積し、オーディオデコーダ９３に出力する。オーディオバッファ９２は、システムコントローラ１００から出力されるヘッダ制御信号Ｓｈｃに基づいて、オーディオ信号Ｓａｄを対応する映像情報を含むビデオ信号Ｓｖ又は副映像信号Ｓｓｐに同期して出力させるためのものであり、対応する映像情報の出力状況に応じてオーディオ信号Ｓａｄを遅延させる。そして、対応する映像情報と同期するように時間調整されたオーディオ信号Ｓａｄは、オーディオデコーダ９３に出力され、システムコントローラ１００から出力されるヘッダ制御信号Ｓｈｃに基づいて、リニアＰＣＭ方式における再生処理が施されて復調オーディオ信号Ｓａｄｄとして図示しないスピーカ等に出力される。なお、音楽情報のみを含むオーディオＤＶＤにおいては、映像情報との同期処理は不要である。
【０２２９】
（６．２）オーディオＤＶＤプレーヤ
次に、上述のオーディオＤＶＤプレーヤについて図１５を参照して説明する。図１５に示すように、オーディオＤＶＤプレーヤは図１４に示すビデオＤＶＤプレーヤと比較して、デマルチプレクサ８６の後段の構成が異なるが、それ以外は同一の構成を有する。従って、デマルチプレクサ８６以降の構成部分について説明する。
【０２３０】
ストリームスイッチ８４を介して復調信号Ｓｄｍが連続的に入力されたデマルチプレクサ８６においては、当該復調信号Ｓｄｍから各パック毎にオーディオ情報を抽出し、オーディオ信号Ｓａｄとしてオーディオバッファ９２に出力する。
【０２３１】
オーディオ信号Ｓａｄが入力されるオーディオバッファ９２は、ＦＩＦＯメモリ等により構成され、入力されたオーディオ信号Ｓａｄを一時的に蓄積し、オーディオデコーダ９３に出力する。オーディオ信号Ｓａｄは、オーディオデコーダ９３に入力され、システムコントローラ１００から出力される制御信号Ｓｈｃに基づいて、リニアＰＣＭ方式における再生処理等が施されて復調オーディオ信号Ｓａｄｄとして図示しないスピーカ等に出力される。
【０２３２】
例えば、リアルタイムテキスト等のリアルタイム情報は、デマルチプレクサからＲＴＩバッファに出力される。ＲＴＩバッファに一時的に蓄積されたデータは、システムコントローラ１００から出力される制御信号Ｓｈｃに基づいて、ＲＴＩデコーダへと出力され、図示しない表示装置に歌詞等の表示を行う。
【０２３３】
所望の情報へのアクセス直後の再生等において一時的に音声を中断する（ポーズする）必要があることが検出された場合には、システムコントローラ１００からポーズ信号Ｓｃａがオーディオデコーダ９３に出力され、当該オーディオデコーダ９３は一時的に復調オーディオ信号Ｓａｄｄの出力を停止する。
【０２３４】
図１６にオーディオデコーダ９３の構成を示す。図示のように、オーディオデコーダ９３は、デジタルフィルタなどを含む信号処理部１２０と、Ｄ／Ａコンバータ１２１と、アンプなどを含むアナログ出力回路１２２と、デジタル出力回路１２３と、ＲＡＭ１２４ａを含むシステムマイコン１２４と、クロック回路１２５と、を備える。
【０２３５】
システムマイコン１２４は、システムコントローラ１００との間で制御信号Ｓｃａを交換し、クロック回路１２５、信号処理部１２０、Ｄ／Ａコンバータ１２１、アナログ出力回路１２２の動作制御を行う。システムマイコン１２４は、内部にＲＡＭ１２４ａを有する。ＲＡＭ１２４ａは、システムコントローラ１００から制御信号Ｓｃａとして供給されるオーディオ属性情報を一時的に記憶する。システムマイコン１２４は、ＲＡＭ１２４ａ内に記憶されたオーディオ属性情報を参照し、その内容をクロック回路１２５及び信号処理部１２０へ供給する。具体的には、システムマイコン１２４は、オーディオ属性情報中のサンプリング周波数情報をクロック回路１２５へ供給する。クロック回路１２５は発振器を有し、指示されたサンプリング周波数に対応するクロック信号ｆｓを信号処理部１２０へ供給する。また、システムマイコン１２４は、オーディオ属性情報中のサンプリング周波数、量子化ビット数、チャンネル数、エンファシスの有無の情報を信号処理部１２０へ供給し、Ｄ／Ａコンバータ１２１へチャンネル数情報を提供する。さらに、システムマイコン１２４はアナログ出力回路１２２へ、各チャンネルの信号の増幅度などの情報を供給する。各チャンネル毎の増幅度の情報は、オーディオ属性情報に含めて、システムコントローラ１００から供給することができる。
【０２３６】
信号処理部１２０は、クロック回路１２５からのクロック信号ｆｓを使用し、システムマイコン１２４から得た符号化方式（リニアＰＣＭまたはドルビーＡＣ３など）、サンプリング周波数、量子化ビット数などの情報に従って、オーディオバッファ９２から供給されるオーディオ信号の復号か、帯域制限などの処理を行い、さらに、エンファシスの有無の情報に従ってディエンファシス処理を行い、Ｄ／Ａコンバータ１２１へ出力する。Ｄ／Ａコンバータ１２１は、システムマイコン１２４から得たチャンネル情報に従って、入力された信号をチャンネル毎に分割し、さらに各チャンネル毎のアナログ信号としてアナログ出力回路１２２へ出力する。また、信号処理部１２０は、デジタル出力回路１２３を介してデジタルオーディオ信号Ｓａｄｄを外部へ出力する。
【０２３７】
（６．３）コンパチブルＤＶＤプレーヤ
コンパチブルＤＶＤプレーヤは、図示しないが、図１５に示すオーディオＤＶＤプレーヤに、図１４に示すビデオＤＶＤプレーヤにおけるＶＢＶバッファ８７、ビデオデコーダ８８、サブピクチァバッファ８９、サブピクチァデコーダ９０、及び混合器９１を備えると共に、システムコントローラ１００を、ビデオフォーマットとオーディオフォーマットの両方の再生が可能なように構成したものである。
【０２３８】
（７）再生装置におけるオーディオセレクション
再生装置におけるオーディオセレクションとは、オーディオプレーヤがオーディオタイトル又は画像音声両用タイトルを再生する場合に、再生するオーディオ情報の種類を切り換えることをいう。
【０２３９】
オーディオ情報の種類としては、（５．２）オーディオ情報の記録方法で、説明したように主に以下の３種類に分類される。
【０２４０】
ａ．録音状況
ｂ．符号化方式
ｃ．再生形態
（７．１）録音状況（バイノーラル）によりブロックを組んだ場合
録音状況が異なる場合は、装置の能力に関係なくユーザの好みに応じて、常時切り換えればよく、初期設定等の必要はない。またバイノーラル録音のような場合には、以下に示すような切り換え方式を再生装置が実施することも可能である。
【０２４１】
ここで、バイノーラル再生を実現するためのバイノーラル録音について詳しく説明する。
【０２４２】
まず通常のステレオ信号をヘッドホンで再生した場合を考える。例えば、図　（Ａ）に示すように、二つのマイクロホンをコンサートホールの所定位置に配置し、これらのマイクロホンの出力をヘッドホンで再生する。この場合、再生音場は図１７（Ａ）に斜線で示すように聴取者の後頭部にできてしまう。これは、スピーカを用いた通常のステレオ再生信号音場では、音像が完全に一方のスピーカに定位されるために、左右のスピーカのレベル差は約２５ｄＢ必要となるのに対し、ヘッドホン聴取の場合には、約１０ｄＢのレベル差で完全に一方の耳に定位してしまうためである。このように、通常のステレオ録音された音楽をヘッドホンで聴くと、ステレオ感が強く出過ぎ、自然な臨場感が得られないという問題がある。
【０２４３】
これに対し、バイノーラル再生では、実際の人間とほぼ等しい音響インピーダンス及び等しい特性を持つダミーヘッドを用意し、このダミーヘッドの両耳の外耳道周辺にマイクロホンを仕込み、図１７（Ｂ）に示すように、例えばこのダミーヘッドをコンサートホールの客席に置き、ダミーヘッド内のマイクロホンの出力をヘッドホンで再生する。このようなバイノーラル再生を行うと、聴取者の頭の周囲に再生される音場は、図１７（Ａ）の斜線で示した範囲となる。従って、ヘッドホンあるいはイヤホン等による受聴においてより自然な臨場感を得ることができる。
【０２４４】
このようなバイノーラル再生を実現するために、上述のようなダミーヘッドを用いて音楽の録音を行うのがバイノーラル録音であり、このようなバイノーラル録音された作品と、ステレオ録音された作品の両方を、例えば図１８に示すように、多重してＤＶＤディスクに記録しておくことにより、聴取形態に応じた適切な再生を行うことができる。なお、記録方法は多重方式に限られるものではなく、ステレオ録音されたオーディオ実体情報と、バイノーラル録音されたオーディオ実体情報を、夫々別のＡＯＢ２１０に記録するようにしても良い。
【０２４５】
バイノーラル再生を行うか否かの判定は、再生装置に例えば図１５に点線で示すようにヘッドホンジャック４００を設け、このヘッドホンジャック４００にヘッドホンのプラグが挿入されたか否かにより行うこととした。
【０２４６】
このヘッドホンジャック４００は、例えば図１９のような回路構成となっており、ヘッドホンのプラグとの当接により押し上げられるスイッチ部４０１が、プラグの上部と下部の両方に設けられている。そして、これらのスイッチ部４０１が押し上げられることによって、スイッチ部４０１が開状態となり、プラグが挿入されたことを検出することができる。
【０２４７】
このような構成により、ヘッドホンジャック４００にヘッドホンのプラグが挿入され、ある曲の指定がユーザにより行われると、上述したような手順により、バイノーラル録音されたオーディオ実体情報を管理するＰＧＣ３００が選択され、バイノーラル録音されたオーディオ実体情報が自動的に再生される。
【０２４８】
従って、ユーザは、単にヘッドホンジャック４００にヘッドホンのプラグを挿入するだけで、バイノーラル録音された所望の曲を聴くことができる。
【０２４９】
なお、ヘッドホンジャック４００にヘッドホンのプラグが挿入されたか否かの検出は、再生開始時、再生中等の適宜のタイミングで行うことができる。また、ヘッドホンジャック４００にヘッドホンのプラグが挿入された時に常に倍ノーラル録音されたオーディオ実体情報を選択するのではなく、図１５に示す入力部９８による設定操作により、ユーザが優先順位を設定するように構成しても良い。例えば、ステレオ録音の再生に高い優先順位を設定していた時には、ユーザはヘッドホンでステレオ録音されたオーディオ実体情報を聞くことができる。
【０２５０】
（７．２）符号化方式によりブロックを組んだ場合
符号化方式が異なる場合は、ディスクに記録されているオーディオ情報の符号化方式に、再生装置が対応していないと（対応するデコーダを持っていないと）、音を聞くことができない。このような状態ではユーザが混乱する。従って、全てのディスクでＬＰＣＭのオーディオ情報を記録することと、全ての再生装置がＬＰＣＭの再生ができること、とが決められている。従ってユーザは、どのようなオーディオＤＶＤディスクであっても、ＬＰＣＭ記録されたオーディオ情報だけは、再生することができる。
【０２５１】
一方、現在各種の符号化方式が実用化されている。これらの多くが圧縮符号化方式であり、特にマルチチャンネルを記録する場合に、データを有効に使うことができるといった特徴を持つ。このように目的に応じて各種符号化方式によって記録されたオーディオ情報がある場合、再生装置が対応するデコーダを持っている場合のみ、その中から選択、再生することができる。この場合、再生装置は、ユーザによる一時的な設定、ユーザによる初期設定、再生装置による設定に従って、先に説明したＡＴＳ＿ＰＧＣＩ＿ＳＲＰ２７３の中のＡｕｄｉｏ　ｃｏｄｉｎｇ　ｍｏｄｅの項目２８５に書かれている符号化方式を示す情報から判断し、図１９に示すフローチャートに従って最適なオーディオ情報を選択し、再生を行う。
【０２５２】
なお、各設定処理は、図１４または図１５に示す入力部９８により行うように構成することができる。更に、設定した情報は、システムコントローラ１００内のメモリに記憶されるように構成することができる。
【０２５３】
また、ＤＶＤディスクを再生装置にセットした際、あるいは再生を開始しようとする際等に、上述したようにＤＶＤディスクに記録された制御情報を、システムコントローラ１００によって読み取り、そのＤＶＤディスクに記録されたオーディオ実体情報の録音形態、再生形態、又は符号化方式等を、ディスプレイ９９に表示するように構成することもできる。このような構成により、ユーザは、そしてＤＶＤディスクにおいて選択可能な設定を適切に知ることができ、適切な選択動作を行うことができる。
【０２５４】
以下、図１９に示すフローチャートに従って、符号化方式を示す情報からＰＧＣを選択する処理の一例を説明する。
【０２５５】
まず、選択処理が開始されると（ステップＳ１）、ＡＴＳ＿ＰＧＣＩ＿ＳＲＰ２７３の読み取りが行われ（ステップＳ２）、ＡＴＳ＿ＰＧＣＩ＿ＳＲＰ２７３の中に記述されている　Ａｕｄｉｏ　ｃｏｄｉｎｇ　ｍｏｄｅの項目２８５に書かれている符号化方式を読み取る（ステップＳ３）。次に、再生装置が、読み取った符号化方式による再生を行う能力があるか否かについて判定する（ステップＳ４）。その結果、再生装置には、読み取った符号化方式による再生を行う能力がない場合には（ステップＳ４；Ｎｏ）、再びＡＴＳ＿ＰＧＣＩ＿ＳＲＰ２７３の読み取りからの処理を繰り返す（ステップＳ２〜）。一方、再生装置が、読み取った符号化方式による再生を行う能力がある場合には（ステップＳ４；Ｙｅｓ）、読み取った符号化方式を、ユーザが一時的な設定として選択しているか否かを判定する（ステップＳ５）。この設定は、例えばリモートコントロール装置等により、再生を開始する際に、あるいは再生中に行われるもので、例えば特定の曲については、既存の設定とは異なる符号化方式により再生しようとする場合に行われる。前記判定の結果、読み取った符号化方式を、ユーザが一時的な設定として選択している場合には（ステップＳ５；Ｙｅｓ）、選択処理を終了し、当該ＡＴＳ＿ＰＧＣＩ＿ＳＲＰ２７３の示すＰＧＣ３００を選択し、再生を開始する（ステップＳ８）。
【０２５６】
しかし、読み取った符号化方式を、ユーザが一時的な設定として選択していない場合には（ステップＳ５；Ｎｏ）、読み取った符号化方式を、ユーザが初期設定として選択しているか否かを判定する（ステップＳ６）。この初期設定は、再生装置の基本的な符号化方式を、ユーザ自信の好み等に応じて行うものであり、この初期設定を行うと、上述した一時的な設定が行われない限り、全ての曲が初期設定された符号化方式により再生されることになる。つまり、読み取った符号化方式を、ユーザが初期設定として選択している場合には（ステップＳ６；Ｙｅｓ）、選択処理を終了し、当該ＡＴＳ＿ＰＧＣＩ＿ＳＲＰ２７３の示すＰＧＣ３００を選択し、再生を開始する（ステップＳ８）。
【０２５７】
また、読み取った符号化方式を、ユーザが初期設定として選択していない場合には（ステップＳ６；Ｎｏ）、読み取った符号化方式が、再生装置の設定として選択しているか否かを判定する（ステップＳ７）。この設定は、再生装置の製造段階において行われるもので、ユーザによる上述した種々の設定が行われない限り、全ての曲がこの設定された符号化方式により再生されることになる。つまり、読み取った符号化方式が、再生装置の設定として選択している場合には（ステップＳ７；Ｙｅｓ）、選択処理を終了し、当該ＡＴＳ＿ＰＧＣＩ＿ＳＲＰ２７３の示すＰＧＣを選択し、再生を開始する（ステップＳ８）。
【０２５８】
なお、読み取りデータのエラー等により、読み取った符号化方式が、再生装置の設定としても選択されていない場合には（ステップＳ７；Ｎｏ）、再びＡＴＳ＿ＰＧＣＩ＿ＳＲＰ２７３の読み取りからの処理を繰り返す（ステップ２〜）。
【０２５９】
（７．２）再生形態によりブロックを組んだ場合
ここでいう再生形態の選択とは、２ｃｈ（ステレオ）再生を行うか、又はマルチチャンネル再生を行うかを選択することを意味する。再生装置がマルチチャンネルに対応している場合、マルチチャンネル記録のオーディオ情報を選択し再生することができる。しかし、ユーザがマルチチャンネルを再生できるシステム（複数のアンプとスピーカ）を持っており、そのシステムに当再生装置が接続されている場合のみ、本来のマルチチャンネルとしての再生を行うことができる。従ってこの場合も、ユーザによる一時的な設定、ユーザによる初期設定、再生装置による設定に従って、先に説明したＡＴＳ＿ＰＧＣＩ＿ＳＲＰ２７３に記述されているＡｕｄｉｏ　ｃｈａｎｎｅｌｓの項目２８４に書かれているチャンネル数を示す情報から判断し、先に示したフローチャートと同様な流れに従って、最適なオーディオ情報を選択し、再生を行う。
【０２６０】
（７．３）符号化方式と再生形態によりブロックを組んだ場合
図１２の例でも示したように、ブロック内のオーディオ情報の種類の違いとして、符号化方式と再生形態の両方が異なる場合がある。このような場合には以下のような処理が必要となる。
【０２６１】
再生装置が処理することができる各符号化方式と各再生形態の全ての組み合わせに対して優先順位を設定する。例を表２に示す。このような設定を必要に応じて、ユーザによる一時的な設定、ユーザによる初期設定、再生装置による設定の各設定で可能なようにしておく。
【０２６２】
【表２】
2004103207.tif 000004
【０２６３】
なお、表２においては、表の中の数字が小さいほど優先順位が高いことを意味する。
【０２６４】
この優先順位設定に従って、図２１に示すフローチャートのように最適なオーディオ情報を選択し、再生を行う。以下、図２１に示すフローチャートに従って、最適なオーディオ情報を選択し、再生を行う処理の一例について説明する。
【０２６５】
まず、選択処理が開始されると（ステップＳ１０）、ＡＴＳ＿ＰＧＣＩ＿ＳＲＰ２７３を取得し（ステップＳ１１）、ブロックタイプに応じて、ＡＴＳ＿ＰＧＣＩ＿ＳＲＰ２７３の中のＡｕｄｉｏ　ｃｏｄｉｎｇ　ｍｏｄｅの項目２８５に記述されている符号化方式と、Ａｕｄｉｏ　ｃｈａｎｎｅｌｓの項目２８４に記述されている再生形態を読み取る（ステップＳ１２）。次に、再生装置が、読み取った符号化方式及び再生形態の組み合わせによる再生を行う能力があるか否かについて判定する（ステップＳ１３）。その結果、再生装置には、読み取った符号化方式及び再生形態の組み合わせによる再生を行う能力がない場合には（ステップＳ１３；Ｎｏ）、再びＡＴＳ＿ＰＧＣＩ＿ＳＲＰ２７３の読み取りからの処理を繰り返す（ステップＳ１１〜）。一方、再生装置が、読み取った符号化方式及び再生装置の組み合わせによる再生を行う能力がある場合には（ステップＳ１３；Ｙｅｓ）、読み取った符号化方式及び再生装置の組み合わせに対して、ユーザによる一時的な設定として選択することに優先順位が設定されているか否かを判定する（ステップＳ１４）。当該優先順位が設定されている場合には（ステップＳ１４；Ｙｅｓ）、読み取った符号化方式及び再生装置の組み合わせに対して、ユーザによる一時的な設定として選択することに優先順位を、優先順位番号として設定する（ステップＳ１５）。そして、この設定した優先順位番号がブロック内で最も小さいか否かを判定し（ステップＳ１９）、最も小さい場合には（ステップＳ１９；Ｙｅｓ）、選択処理を終了し、当該ＡＴＳ＿ＰＧＣＩ＿ＳＲＰ２７３の示すＰＧＣ３００を選択し、再生を開始する（ステップＳ２０）。
【０２６６】
しかし、設定した優先順位番号がブロック内で最も小さい番号ではない場合には（ステップＳ１９；Ｎｏ）、当該ブロックの次のＡＴＳ＿ＰＧＣＩ＿ＳＲＰ２７３の取得からの処理を繰り返す（ステップＳ１１〜）。そして、次の符号化方式及び再生形態の組み合わせについて、上述したように、再生装置に再生能力があるか否かの判定と、ユーザによる一時的な設定として優先順位が設定されているか否かの判定とを行い、判定結果に応じた処理を行う（ステップＳ１３，１４，１５）。
【０２６７】
一方、次の符号化方式及び再生形態の組み合わせについて、ユーザによる一時的な設定として優先順位が設定されていない場合には（ステップＳ１４；Ｎｏ）、当該組み合わせについてユーザによる初期設定として優先順位が設定されているか否かを判定する（ステップＳ１６）。当該優先順位が設定されている場合には（ステップＳ１６；Ｙｅｓ）、読み取った符号化方式及び再生装置の組み合わせに対して、ユーザによる初期設定としての優先順位を、優先順位番号として設定する（ステップＳ１７）。そして、この設定した優先順位番号がブロック内で最も小さいか否かを判定し（ステップＳ１９）、最も小さい場合には（ステップＳ１９；Ｙｅｓ）、選択処理を終了し、当該ＡＴＳ＿ＰＧＣＩ＿ＳＲＰ２７３の示すＰＧＣ３００を選択し、再生を開始する（ステップＳ２０）。
【０２６８】
しかし、設定した優先順位番号がブロック内で最も小さい番号ではない場合には（ステップＳ１９；Ｎｏ）、当該ブロックの次のＡＴＳ＿ＰＧＣＩ＿ＳＲＰ２７３の取得からの処理を繰り返す（ステップＳ１１〜）。そして、次の符号化方式及び再生形態の組み合わせについて、上述したように、再生装置に再生能力があるか否かの判定と、ユーザによる一時的な設定として優先順位が設定されているか否かの判定と、ユーザによる初期設定としての優先順位が設定されているか否かの判定とを行い、判定結果に応じた処理を行う（ステップＳ１３，１４，１５，１６，１７）。
【０２６９】
一方、次の符号化方式及び再生形態の組み合わせについて、ユーザによる初期設定として優先順位が設定されていない場合には（ステップＳ１６；Ｎｏ）、当該組み合わせについて再生装置の当初からの初期設定の優先順位を、優先順位番号として設定する（ステップＳ１８）。そして、この設定した優先順位番号がブロック内で最も小さいか否かを判定し（ステップＳ１９）、最も小さい場合には（ステップＳ１９；Ｙｅｓ）、選択処理を終了し、当該ＡＴＳ＿ＰＧＣＩ＿ＳＲＰ２７３の示すＰＧＣ３００を選択し、再生を開始する（ステップＳ２０）。
【０２７０】
以上のように、符号化方式と再生形態の組み合わせに対して、優先順位が設定されている場合には、設定された優先順位の中で最も小さい番号の設定態様として、当該組み合わせに基づくＰＧＣ３００の選択と、当該組み合わせによる再生を行う。
【０２７１】
以上説明したように、各符号化方式、各再生形態の組み合わせに対し、必要に応じて、ユーザによる一時的な設定、ユーザによる初期設定、再生装置による設定、の各設定で優先順位を決めることが可能なようにしておくことにより、種類の異なる複数のオーディオ情報が記録された場合でも、いちいちユーザがその種類を選択することなく、最適なオーディオ情報を選択し再生することができる。
【０２７２】
なお、図２０と図２１を用いて説明した例において、再生装置による再生能力にも適合しておらず、また、何れの設定も選択されていないような指定が行われた場合には、ディスプレイ９９等の表示手段により、警告表示を行うように構成しても良い。
【図面の簡単な説明】
【図１】ビデオＤＶＤの物理的構造（物理フォーマット）を示す図である。
【図２】ビデオＤＶＤの論理的構造（論理フォーマット）を示す図である。
【図３】オーディオＤＶＤの物理的構造（物理フォーマット）を示す図である。
【図４】オーディオＤＶＤの論理的構造（論理フォーマット）を示す図である。
【図５】ＤＶＤの種類を示す図である。
【図６】オーディオ・ビデオ両用ＤＶＤの一例を示す図である。
【図７】同一オブジェクトの２重管理の概念を示す図である。
【図８】図６に示すオーディオ・ビデオ両用ＤＶＤについて規定されたナビゲーション情報の例を示す図である。
【図９】ＡＴＳに記録される情報を示す図である。
【図１０】オーディオタイトル再生時のユーザの認識とナビゲーション情報と実体情報の関係を示す図である。
【図１１】画像音声両用タイトル再生時のユーザの認識とナビゲーション情報と実体情報の関係を示す図である。
【図１２】オーディオフォーマットで記録されたＤＶＤディスクのＡＴＳＩに記録される情報を示す図である。
【図１３】オーディオフォーマット及びビデオフォーマットで記録されたＤＶＤディスクのＡＴＳＩに記録される情報を示す図である。
【図１４】ビデオＤＶＤプレーヤの概略構成を示す図である。
【図１５】オーディオＤＶＤプレーヤの概略構成を示す図である。
【図１６】図１５のオーディオＤＶＤプレーヤにおけるオーディオデコーダの構成を示す図である。
【図１７】（Ａ）は通常のステレオ再生された音楽情報をヘッドホンで再生した場合に形成される音場を示す図、（Ｂ）はバイノーラル再生された音楽情報をヘッドホンで再生した場合に形成される音場を示す図である。
【図１８】ステレオ方式により２チャンネル録音されたオーディオパックとバイノーラル方式により２チャンネル録音されたオーディオパックが多重化されていることを示す概念図である。
【図１９】ヘッドホンジャックの回路構成の一例を示す図である。
【図２０】符号化方式を示す情報からＰＧＣを選択する処理の一例を示すフローチャートである。
【図２１】符号化方式と再生形態を組み合わせた情報からＰＧＣを選択する処理の一例を示すフローチャートである。
【符号の説明】
３…ＶＭＧ
１０…ＶＯＢ
１１…ＶＴＳＩ
２０２…ＡＭＧ
２０４…ＳＡＰＰＴ
２１０…ＡＯＢ
２１１…ＡＴＳＩ
２４０…ＡＭＧＩ
２４２…ＡＴＴサーチポインタテーブル
２４３…ＡＯＴＴサーチポインタテーブル
２４５…ＡＴＴサーチポインタ
２４７…ＡＯＴＴサーチポインタ
２５１…ＴＴサーチポインタテーブル
２５４…ＴＴサーチポインタ
２６１…タイトル
３００…ＰＧＣ
３０１…プログラム
【図１】
2004103207.tif 000005
【図２】
2004103207.tif 000006
【図３】
2004103207.tif 000007
【図４】
2004103207.tif 000008
【図５】
2004103207.tif 000009
【図６】
2004103207.tif 000010
【図７】
2004103207.tif 000011
【図８】
2004103207.tif 000012
【図９】
2004103207.tif 000013
【図１０】
2004103207.tif 000014
【図１１】
2004103207.tif 000015
【図１２】
2004103207.tif 000016
【図１３】
2004103207.tif 000017
【図１４】
2004103207.tif 000018
【図１５】
2004103207.tif 000019
【図１６】
2004103207.tif 000020
【図１７】
2004103207.tif 000021
【図１８】
2004103207.tif 000022
【図１９】
2004103207.tif 000023
【図２０】
2004103207.tif 000024
【図２１】
2004103207.tif 000025